(57)【要約】  特定の実施形態によれば、タイミング構成の同期制御のための方法は、ネットワークノードにフィードバックを送信するための第１の遅延持続時間に関連付けられた第１のタイミング構成にしたがって、無線デバイスを動作させることを含んでいる。ネットワークノードにフィードバックを送信するための第２の遅延持続時間に関連付けられた第２のタイミング構成が、ネットワークノードから受信される。第２の遅延持続時間は、第１の遅延持続時間とは異なる。ネットワークノードからの第１のダウンリンク送信に応答して、第２のタイミング構成に関連付けられた第２の遅延持続時間に基づいて決定された送信時間における送信のために、第１のフィードバックがスケジュールされる。【選択図】図５
2019537857.tif 000002
【特許請求の範囲】
【請求項１】
タイミング構成の同期制御のための無線デバイスによる方法であって、
ネットワークノードにフィードバックを送信するための第１の遅延持続時間に関連付けられた第１のタイミング構成にしたがって、前記無線デバイスを動作させることと、
前記ネットワークノードにフィードバックを送信するための第２の遅延持続時間に関連付けられた第２のタイミング構成を、前記ネットワークノードから受信することであって、前記第２の遅延持続時間が、前記第１の遅延持続時間とは異なる、受信することと、
前記ネットワークノードからの第１のダウンリンク送信に応答して、前記第２のタイミング構成に関連付けられた前記第２の遅延持続時間に基づいて決定された送信時間における送信のために、第１のフィードバックをスケジュールすることとを備えた、方法。
【請求項２】
前記第１のフィードバックは、前記第１のダウンリンク送信の受信の肯定的または否定的なアクノレッジメントを示すハイブリッド自動再送要求（ＨＡＲＱ）フィードバックを備えた、請求項１に記載の方法。
【請求項３】
前記第１の遅延は、ｎのサブフレームで受信された前記第１のダウンリンク送信に応答した前記第１のフィードバックが、第１の構成にしたがってｎ＋４のサブフレームで前記ネットワークノードに送信されるように４個のサブフレーム遅延を備え、
前記第２の遅延は、ｎのサブフレームで受信された第１のダウンリンク送信に応答した前記第１のフィードバックが、ｎ＋ｋのサブフレームで前記ネットワークノードに送信されるように、ｋ個のサブフレーム遅延を備え、
ｋは４未満である、請求項１または２に記載の方法。
【請求項４】
前記第２の遅延持続時間に基づいて決定された前記送信時間において前記第１のフィードバックを送信することをさらに備えた、請求項１から３のいずれか一項に記載の方法。
【請求項５】
前記ネットワークノードから、前記第２のタイミング構成の起動を要求する第２の指示を受信することと、
前記第２の指示に応答して、前記無線デバイスによって、前記第２の遅延持続時間に基づいて決定された前記送信時間において前記第１のフィードバックを送信するために、前記第２のタイミング構成を起動することとをさらに備えた、請求項１から４のいずれか一項に記載の方法。
【請求項６】
前記第２のタイミング構成は、前記無線デバイスによって、
ダウンリンク制御チャネルにおけるＵＥ固有識別情報、
ダウンリンク制御チャネルにおけるＵＥ共通識別情報、
ダウンリンク制御情報の特別なフォーマット、または、
ダウンリンクパケットデータユニットにおける制御フィールドまたはヘッダとして受信される、請求項１から５のいずれか一項に記載の方法。
【請求項７】
前記第１のフィードバックを送信する前に、前記方法はさらに、
前記第２のタイミング構成にしたがって前記送信時間における送信のためにスケジュールされた前記第１のフィードバックと、前記第１のタイミング構成にしたがって前記送信時間における送信のためにもスケジュールされた第２のフィードバックとの間のコンフリクトを識別することと、
前記第１のタイミング構成よりも前記第２のタイミング構成を優先する優先ルールを適用し、前記第１のタイミング構成にしたがってスケジュールされた前記第２のフィードバックをキャンセルし、
前記第２のタイミング構成よりも前記第１のタイミング構成を優先する優先ルールを適用し、前記第２のタイミング構成にしたがってスケジュールされた前記第１のフィードバックをキャンセルし、
前記ネットワークノードからＨＡＲＱ処理識別子を受信し、前記ＨＡＲＱ処理識別子に基づいて、送信のために前記第１のフィードバックまたは前記第２のフィードバックを選択し、
前記送信時間において送信するために、前記第１のフィードバックと前記第２のフィードバックとを多重化し、または、
前記第１のフィードバックおよび前記第２のフィードバックは、ともに肯定的なアクノレッジメントであると判定し、前記第１のフィードバックと前記第２のフィードバックとの両方を表すために、前記第１のフィードバックまたは前記第２のフィードバックのうちの選択された一方を送信する
ことによって前記コンフリクトを解決することとを備えた、請求項１から６のいずれか一項に記載の方法。
【請求項８】
タイミング構成の同期制御のための無線デバイスであって、
命令を記憶するメモリと、
前記無線デバイスに、
ネットワークノードにフィードバックを送信するための第１の遅延持続時間に関連付けられた第１のタイミング構成にしたがって動作することと、
ネットワークノードから、前記ネットワークノードにフィードバックを送信するための第２の遅延持続時間に関連付けられた第２のタイミング構成を受信することであって、前記第２の遅延持続時間が、前記第１の遅延持続時間とは異なる、受信することと、
前記ネットワークノードからの第１のダウンリンク送信に応答して、前記第２のタイミング構成に関連付けられた前記第２の遅延持続時間に基づいて決定された送信時間における送信のために、第１のフィードバックをスケジュールすることとを行わせるために、前記命令を実行するように動作可能な処理回路構成とを備えた、無線デバイス。
【請求項９】
前記第１のフィードバックは、前記第１のダウンリンク送信の受信の肯定的または否定的なアクノレッジメントを示すハイブリッド自動再送要求（ＨＡＲＱ）フィードバックを備えた、請求項８に記載の無線デバイス。
【請求項１０】
前記処理回路構成はさらに、前記無線デバイスに、前記第２の遅延持続時間に基づいて決定された前記送信時間において前記第１のフィードバックを送信させるために、前記命令を実行するように動作可能である、請求項８または９に記載の無線デバイス。
【請求項１１】
前記処理回路構成はさらに、前記無線デバイスに、
前記ネットワークノードから、前記第２のタイミング構成の起動を要求する第２の指示を受信することと、
前記第２の指示に応答して、前記第２の遅延持続時間に基づいて決定された前記送信時間において前記第１のフィードバックを送信するための前記第２のタイミング構成を起動することとを行わせるために、前記命令を実行するように動作可能である、請求項８から１０のいずれか一項に記載の無線デバイス。
【請求項１２】
前記第２のタイミング構成は、前記無線デバイスによって、
ダウンリンク制御チャネルにおけるＵＥ固有識別情報、
ダウンリンク制御チャネルにおけるＵＥ共通識別情報、
ダウンリンク制御情報の特別なフォーマット、または、
ダウンリンクパケットデータユニットにおける制御フィールドまたはヘッダとして受信される、請求項８から１１のいずれか一項に記載の無線デバイス。
【請求項１３】
前記第１のフィードバックを送信する前に、前記処理回路構成はさらに、前記無線デバイスに、
前記第２のタイミング構成にしたがって前記送信時間における送信のためにスケジュールされた前記第１のフィードバックと、前記第１のタイミング構成にしたがって前記送信時間における送信のためにもスケジュールされた第２のフィードバックとの間のコンフリクトを識別することと、
前記第１のタイミング構成よりも前記第２のタイミング構成を優先する優先ルールを適用し、前記第１のタイミング構成にしたがってスケジュールされた前記第２のフィードバックをキャンセルし、
前記第２のタイミング構成よりも前記第１のタイミング構成を優先する優先ルールを適用し、前記第２のタイミング構成にしたがってスケジュールされた前記第１のフィードバックをキャンセルし、
前記ネットワークノードからＨＡＲＱ処理識別子を受信し、前記ＨＡＲＱ処理識別子に基づいて、送信のために前記第１のフィードバックまたは前記第２のフィードバックを選択し、
前記送信時間において送信するために、前記第１のフィードバックと前記第２のフィードバックとをともに多重化し、または、
前記第１のフィードバックおよび前記第２のフィードバックは、ともに肯定的なアクノレッジメントであると判定し、前記第１のフィードバックと前記第２のフィードバックとの両方を表すために、前記第１のフィードバックまたは前記第２のフィードバックのうちの選択された一方を送信する
ことによって前記コンフリクトを解決することとを行わせるために、前記命令を実行するように動作可能である、請求項８から１２のいずれか一項に記載の無線デバイス。
【請求項１４】
タイミング構成の同期制御のためのネットワークノードによる方法であって、
前記ネットワークノードにフィードバックを送信するための第１の遅延持続時間に関連付けられた第１のタイミング構成を、無線デバイスに送信することと、
前記ネットワークノードにフィードバックを送信するための第２の遅延持続時間に関連付けられた第２のタイミング構成を、前記無線デバイスに送信することであって、前記第２の遅延持続時間が、フィードバックを送信するための前記第１の遅延持続時間とは異なる、送信することとを備えた、方法。
【請求項１５】
ＨＡＲＱ許可を備えたダウンリンク送信を、前記無線デバイスに送信することをさらに備え、
前記第１のフィードバックは、前記ＨＡＲＱ許可の受信の肯定的または否定的なアクノレッジメントを示すハイブリッド自動再送要求（ＨＡＲＱ）フィードバックを備えた、請求項１４に記載の方法。
【請求項１６】
前記第１の遅延持続時間は、ｎのサブフレームで受信されたダウンリンク送信に応答したフィードバックが、第１の構成にしたがってｎ＋４のサブフレームで前記ネットワークノードに送信されるように４個のサブフレーム遅延を備え、
前記第２の遅延持続時間は、ｎのサブフレームで受信されたダウンリンク送信に応答したフィードバックが、ｎ＋ｋのサブフレームで前記ネットワークノードに送信されるようにｋ個のサブフレーム遅延を備え、
ｋは４未満である、請求項１４または１５に記載の方法。
【請求項１７】
前記第２のタイミング構成に関連付けられた前記第２の遅延持続時間に基づいて決定された送信時間において第１のフィードバックを受信することをさらに備えた、請求項１４から１６のいずれか一項に記載の方法。
【請求項１８】
前記第２のタイミング構成の起動を要求する第２の指示を、前記無線デバイスに送信することと、
前記第２の指示が前記無線デバイスに送信された後、前記第２のタイミング構成に関連付けられた前記第２の遅延持続時間に基づいて決定された前記送信時間において第１のフィードバックを受信することとをさらに備えた、請求項１４から１７のいずれか一項に記載の方法。
【請求項１９】
前記第２のタイミング構成は、前記無線デバイスへ、
ダウンリンク制御チャネルにおけるＵＥ固有識別情報、
ダウンリンク制御チャネルにおけるＵＥ共通識別情報、
ダウンリンク制御情報の特別なフォーマット、または、
ダウンリンクパケットデータユニットにおける制御フィールドまたはヘッダとして送信される、請求項１４から１８のいずれか一項に記載の方法。
【請求項２０】
前記第１のタイミング構成にしたがう送信時間における送信のためにスケジュールされた第１のフィードバックと、前記第２のタイミング構成にしたがう前記送信時間における送信のためにスケジュールされた第２のフィードバックとの間のコンフリクトを解決するためのルールを、前記無線デバイスに送信することをさらに備え、
前記ルールは、
前記第１のタイミング構成にしたがってスケジュールされた前記第１のフィードバックが、前記無線デバイスによってキャンセルされるように、前記第１のタイミング構成よりも前記第２のタイミング構成を優先する第１のルール、
前記第２のタイミング構成にしたがってスケジュールされた前記第２のフィードバックが、前記無線デバイスによってキャンセルされるように、前記第２のタイミング構成よりも前記第１のタイミング構成を優先する第２のルール、
前記無線デバイスが、ＨＡＲＱ処理識別子に基づいて、送信のために、前記第１のフィードバックまたは前記第２のフィードバックを選択するように、前記ＨＡＲＱ処理識別子を含む第３のルール、
前記第１のフィードバックと前記第２のフィードバックとが、前記送信時間において、送信のためにともに多重化されることを識別する第４のルール、または、
前記第１のフィードバックと前記第２のフィードバックとがともに肯定的なアクノレッジメントであるとき、前記第１のフィードバックと前記第２のフィードバックとのうちの選択された一方が、前記第１のフィードバックと前記第２のフィードバックとの両方を表すことを識別する第５のルールを備えた、請求項１４から１９のいずれか一項に記載の方法。
【請求項２１】
前記無線デバイスが、第１の構成にしたがって動作している間、第１のダウンリンク許可を送信することであって、前記第１のダウンリンク許可が、ｎ−１のサブフレームのためにスケジュールされているのであれば、前記ダウンリンク許可を送信することが、少なくとも１個のサブフレーム分遅延される、送信することと、
前記無線デバイスが、第２の構成にしたがって動作している間、ｎのサブフレームにおいて、第２のダウンリンク許可を送信することであって、前記第１のフィードバックは、前記第２のタイミング構成に関連付けられた前記第２の遅延に基づいて決定されたｎ＋ｋのサブフレームで受信される、送信することとをさらに備えた、請求項１４から２０のいずれか一項に記載の方法。
【請求項２２】
タイミング構成の同期制御のためのネットワークノードであって、
命令を記憶するメモリと、
前記ネットワークノードに、
前記ネットワークノードにフィードバックを送信するための第１の遅延持続時間に関連付けられた第１のタイミング構成を、無線デバイスに送信することと、
前記ネットワークノードにフィードバックを送信するための第２の遅延持続時間に関連付けられた第２のタイミング構成を、前記無線デバイスに送信することとを行わせるために、前記命令を実行するように動作可能な処理回路構成とを備え、前記第２の遅延持続時間は、前記第１の遅延持続時間とは異なる、ネットワークノード。
【請求項２３】
前記処理回路構成はさらに、前記ネットワークノードに、
ＨＡＲＱ許可を備えたダウンリンク送信を、前記無線デバイスに送信させるために、前記命令を実行するように動作可能であり、
前記第１のフィードバックは、前記ＨＡＲＱ許可の受信の肯定的または否定的なアクノレッジメントを示すハイブリッド自動再送要求（ＨＡＲＱ）フィードバックを備えた、請求項２２に記載のネットワークノード。
【請求項２４】
前記処理回路構成はさらに、前記ネットワークノードに、前記第２のタイミング構成に関連付けられた前記第２の遅延持続時間に基づいて決定された送信時間において第１のフィードバックを受信させるために、前記命令を実行するように動作可能である、請求項２２または２３に記載のネットワークノード。
【請求項２５】
前記処理回路構成はさらに、前記ネットワークノードに、
前記第２のタイミング構成の起動を要求する第２の指示を、前記無線デバイスに送信することと、
前記第２の指示が前記無線デバイスに送信された後、前記第２のタイミング構成に関連付けられた前記第２の遅延持続時間に基づいて決定された前記送信時間において第１のフィードバックを受信することとを行わせるために、前記命令を実行するように動作可能である、請求項２２から２４のいずれか一項に記載のネットワークノード。
【請求項２６】
前記第２のタイミング構成は、前記無線デバイスへ、
ダウンリンク制御チャネルにおけるＵＥ固有識別情報、
ダウンリンク制御チャネルにおけるＵＥ共通識別情報、
ダウンリンク制御情報の特別なフォーマット、または、
ダウンリンクパケットデータユニットにおける制御フィールドまたはヘッダとして送信される、請求項２２から２５のいずれか一項に記載のネットワークノード。
【請求項２７】
前記処理回路構成はさらに、前記ネットワークノードに、前記第１のタイミング構成にしたがう送信時間における送信のためにスケジュールされた第１のフィードバックと、前記第２のタイミング構成にしたがう前記送信時間における送信のためにスケジュールされた第２のフィードバックとの間のコンフリクトを解決するためのルールを、前記無線デバイスに送信させるために、前記命令を実行するように動作可能であり、
前記ルールは、
前記第１のタイミング構成にしたがってスケジュールされた前記第１のフィードバックが、前記無線デバイスによってキャンセルされるように、前記第１のタイミング構成よりも前記第２のタイミング構成を優先する第１のルール、
前記第２のタイミング構成にしたがってスケジュールされた前記第２のフィードバックが、前記無線デバイスによってキャンセルされるように、前記第２のタイミング構成よりも前記第１のタイミング構成を優先する第２のルール、
前記無線デバイスが、ＨＡＲＱ処理識別子に基づいて、送信のために、前記第１のフィードバックまたは前記第２のフィードバックを選択するように、前記ＨＡＲＱ処理識別子を含む第３のルール、
前記第１のフィードバックと前記第２のフィードバックとが、前記送信時間において、送信のためにともに多重化されることを識別する第４のルール、または、
前記第１のフィードバックと前記第２のフィードバックとがともに肯定的なアクノレッジメントであるとき、前記第１のフィードバックと前記第２のフィードバックとのうちの選択された一方が、前記第１のフィードバックと前記第２のフィードバックとの両方を表すことを識別する第５のルールを備えた、請求項２２から２６のいずれか一項に記載のネットワークノード。
【請求項２８】
前記処理回路構成はさらに、前記ネットワークノードに、
前記無線デバイスが、第１の構成にしたがって動作している間、第１のダウンリンク許可を送信することであって、前記第１のダウンリンク許可が、ｎ−１のサブフレームのためにスケジュールされているのであれば、前記ダウンリンク許可を送信することが、少なくとも１個のサブフレーム分遅延される、送信することと、
前記無線デバイスが、第２の構成にしたがって動作している間、ｎのサブフレームにおいて、第２のダウンリンク許可を送信することとを行わせるために、前記命令を実行するように動作可能であり、
前記第１のフィードバックは、前記第２のタイミング構成に関連付けられた前記第２の遅延に基づいて決定されたｎ＋ｋのサブフレームで受信される、請求項２２から２７のいずれか一項に記載のネットワークノード。
【発明の詳細な説明】
【技術分野】
【０００１】
本開示は、一般に、無線通信に関し、より詳細には、ハイブリッド自動再送要求（ＨＡＲＱ）タイミング構成の同期制御のためのシステムおよび方法に関する。
【背景技術】
【０００２】
パケットデータレイテンシは、スピードテストアプリケーションによって、ベンダ、オペレータ、およびエンドユーザが定期的に測定する、パフォーマンスメトリックのうちの１つである。レイテンシ測定は、無線アクセスネットワークシステムの寿命のすべてのフェーズにおいて行われ得る。例として、レイテンシ測定は、新たなソフトウェアリリースまたはシステム構成要素を検証するとき、システムを展開するとき、および／または、システムが商業的に運用されているときに実行され得る。より良好なレイテンシは、Ｌｏｎｇ  Ｔｅｒｍ  Ｅｖｏｌｕｔｉｏｎ（ＬＴＥ）の設計を導いた１つのパフォーマンスメトリックであった。具体的には、目標は、前世代の３ＧＰＰ  ＲＡＴと比較して、ＬＴＥのレイテンシを改善することであった。ＬＴＥはまた、インターネットへのより高速なアクセスを提供し、前世代の移動無線技術よりもデータのレイテンシを短縮するシステムであるとエンドユーザに認識されている。
【０００３】
パケットデータレイテンシは、システムの、認識される応答性のためのみならず、重要であり、システムのスループットに間接的に影響を与えるパラメータでもある。ＨＴＴＰ／ＴＣＰは、今日、インターネットで使用されている主要なアプリケーションおよびトランスポートレイヤプロトコルスイートである。ＨＴＴＰアーカイブ（ｈｔｔｐ：／／ｈｔｔｐａｒｃｈｉｖｅ．ｏｒｇ／ｔｒｅｎｄｓ．ｐｈｐ）によれば、インターネット上でのＨＴＴＰベースのトランザクションの典型的なサイズは、数１０Ｋバイトから最大１Ｍバイトの範囲である。このサイズ範囲では、送信制御プロトコル（ＴＣＰ）スロースタート期間は、パケットストリームの合計トランスポート期間のかなりの部分である。ＴＣＰスロースタートの間、パフォーマンスは、レイテンシによって制限される。したがって、この種類のＴＣＰベースのデータトランザクションの場合、レイテンシの改善は、かなり簡単に示されて、平均スループットを改善することができる。
【０００４】
無線リソースの効率は、レイテンシの短縮によって、プラスの影響を受ける可能性があり得る。より短いパケットデータレイテンシは、特定の遅延範囲内で可能な送信の数を増加させ得る。したがって、より高いブロック誤り率（ＢＬＥＲ）ターゲットが、無線リソースを解放するデータ送信のために使用され得、潜在的に、システムの容量を改善する。
【０００５】
体感の知覚品質の向上という点で、レイテンシの短縮によってプラスの影響を受ける現在のアプリケーションは数多くある。例としては、ゲーム、ＶｏＬ  ＴＥ／ＯＴＴ  ＶｏＩＰのようなリアルタイムアプリケーション、およびマルチパーティビデオ会議がある。将来的には、より遅延が重要になる多くの新たなアプリケーションがあるであろう。例としては、自動車のリモート制御／運転、たとえばスマートグラスにおけるような拡張現実アプリケーション、または短いレイテンシが要求される特定のマシン通信が挙げられる。より上位のレイヤ制御シグナリングのより高速なトランスポートにより、データトランスポートのレイテンシの短縮はまた、呼設定／ベアラ設定のような、より高速な無線制御プレーン手順を間接的に与え得る。
【０００６】
ＬＴＥは、無線アクセスネットワーク制御およびスケジューリングに基づく無線アクセス技術である。データの送信には、下位のレイヤ制御シグナリングのラウンドトリップが必要であるので、これらの事実は、レイテンシのパフォーマンスに影響を与える。図１は、スケジューリング要求のための制御シグナリングタイミングを例示する。描写されるように、データはＴ０において上位のレイヤによって作成される。次に、ＵＥモデムが、スケジューリング要求（ＳＲ）をｅノードＢ（ｅＮＢ）に送信し、ｅＮＢが、このＳＲを処理し、許可されて応答するため、データ転送がＴ６において開始することができる。したがって、パケットレイテンシの短縮になる取り組むべき１つの分野は、データおよび制御シグナリングのトランスポート時間の短縮と、制御シグナリングの処理時間の短縮とである。データおよび制御シグナリングのトランスポート時間は、送信時間間隔（ＴＴＩ）の長さをアドレス指定することによって短縮され得る。制御シグナリングの処理時間は、ユーザ機器（ＵＥ）が許可信号を処理するのに要する時間を短縮することによって短縮され得る。
【０００７】
典型的なＵＥ設計では、ＵＥは、処理が開始される前にサブフレーム全体を受信するであろう。チャネル推定によって、後続するサブフレーム内のセル参照信号のルックアヘッドがいくらか存在する可能性があり、これは１つまたは数シンボルの遅延をもたらすことになる。次に、ソフト値の復調と生成が行われ、続いてターボ復号が行われる。これらのブロックが要する時間は、トランスポートブロックのサイズと、ＵＥの処理チェーンとに依存するであろう。ＵＥの処理チェーンは、恐らくは、アグリゲートされた多くの構成要素キャリアにおける場合を含む、最大数の割当、変調、および、コードレートを伴う最悪のシナリオの受信を考慮するように設計されている。ＵＥは、最大のタイミングアドバンス値によって与えられるように、追加のマージンをもって、これらのすべてのブロックで終了する必要がある。
【０００８】
タイミングアドバンスは、異なるＵＥからの信号が、同じ時点でｅＮＢに到達するようにネットワークから設定され、ラージセルサイズの場合は、約１００ｋｍのセル半径のラウンドトリップ時間に対応する最大０．７ｍｓの値に指定され得る。
【０００９】
低減された処理タイミングをサポートするＵＥに関しては、ＴＣＰアクノレッジメント（ＴＣＰ  ＡＣＫ）送信前のより短い遅延によるＴＣＰスロースタートフェーズの加速の観点で、低減されたレイテンシの観点で、そしてまた、アップリンク（ＵＬ）許可と実際のＵＬ送信との間のより短いアイドル時間により増加したＵＬパフォーマンスの観点で、利点が期待される。したがって、レイテンシを短縮する１つの手法は、最大タイミングアドバンス（ＴＡ）の短縮によるものである。現在、最大のＴＡである０．６７ｍｓは、１００ｋｍの最大セルサイズに対して大きさが決められている。ＵＥにおける良好なカバレッジを目的とした動作のためには、処理時間の短縮をサポートするＵＥには、このレベルは不要である。
【００１０】
処理時間が短縮された１ｍｓのＴＴＩ動作は、良好なカバレッジでＵＥに対処するだけではなく、ラージセル配置にも適しているべきであることに留意されたい。最大のＴＡを半分にして最大０．３３ｍｓまで短縮しても、５０ｋｍのセルサイズをサポートすることができ、短縮された処理時間およびｓＴＴＩ動作を伴う１ｍｓのＴＴＩ動作のために十分であるはずである。
【００１１】
現在のＬＴＥ  Ｒｅｌ−１３では、ＵＥは、ｎ−４番目のサブフレームにおいて検出された物理データ共有チャネル（ＰＤＳＣＨ）のために、ｎ番目のサブフレームにおける周波数分割複信（ＦＤＤ）のためのＨＡＲＱアクノレッジメント（ＨＡＲＱ−ＡＣＫ）を送信する。同様に、ｉ番目のサブフレームにおける物理ＨＡＲＱ指示チャネル（ＰＨＩＣＨ）によって受信されたＨＡＲＱ−ＡＣＫは、周波数分割複信（ＦＤＤ）のためｉ−４番目のサブフレームにおける物理アップリンク共有チャネル（ＰＵＳＣＨ）送信に関連付けられる。ＵＬおよびダウンリンク（ＤＬ）についての同様の要件が、時分割複信（ＴＤＤ）についても与えられる。このメカニズムは、現在の規格における基本的な機能である。しかしながら、処理の減少の結果として、アップリンク／ダウンリンクＨＡＲＱタイミングが、異なって生成され得る。たとえば、物理ダウンリンク制御チャネル（ＰＤＣＣＨ）、拡張ＰＤＣＣＨ（ＥＰＤＣＣＨ）、またはｎ番目のサブフレームにおけるＰＨＩＣＨ送信によって設定されたｎ＋４番目のサブフレームにおけるアップリンク送信の場合、遅延は、レイテンシを短縮するために、４個のサブフレームから、より短い値へ短縮され得る。低減された処理のサポートを導入する際に、ＵＥ機能シグナリングが導入され、明示的または暗黙的な構成シグナリングによるＮＷが、レイテンシを低減するために、低減された処理機能を使用し得ることが想定され得る。
【００１２】
レイテンシの短縮による最も単純な結果は、ＴＣＰアクノレッジメントが、ＨＡＲＱラウンドトリップタイム（ＲＴＴ）の短縮により、より高速に配信され得ることである。たとえば、以前のファイル送信に隣接していないファイル送信が開始すると、リンク適合は、チャネル品質情報（ＣＱＩ）の有無に関わらず開始する。いずれの場合も、開始時（スロースタート期間）には、外部ループリンク適合（ＯＬＬＡ）は、ＭＣＳを、チャネルに一致するレベルにまだ調節していない。その結果、このフェーズでは、より多くの再送信が必要とされる。たとえば、ＴＣＰアクノレッジメント（ＴＣＰ  ＡＣＫ）が無線で喪失された場合、再送信がより高速に生じる。さらに、スケジューラが、より頻繁にアクノレッジメントを受信すると、ＭＣＳを調節して、チャネルをより高速に一致させ得る。
【００１３】
図２は、既存のＨＡＲＱアクノレッジメント／否定的なアクノレッジメント（ＨＡＲＱ  ＡＣＫ／ＮＡＣＫ）タイミングを例示する。現在のＤＬスケジューリングは、１ｍｓのサブフレームベースで行われる。端末に許容される処理時間は３ｍｓからタイミングアドバンスを減じた分であり、これは、ｎ番目のサブフレームにおけるＰＤＳＣＨ送信に応答したＨＡＲＱ  ＡＣＫ／ＮＡＣＫが、トランスポートブロックのサイズ、または、割当が終了したときに関わらず、ｎ＋４番目のサブフレームにおいてＵＬにおいて送信されるべきであることを意味する。端末のために要求される処理時間がはるかに短い場合、サブフレーム内のすべてのシンボルが使用される場合に可能であるものよりも早く、ＡＣＫ／ＮＡＣＫフィードバックを送信することが原理的にできるので、これは無駄である。
【発明の概要】
【００１４】
既存の解決策に関する前述の問題に対処するために、タイミング構成の同期制御のためのシステムおよび方法が開示される。
【００１５】
特定の実施形態によれば、タイミング構成の同期制御のための方法は、ネットワークノードにフィードバックを送信するための第１の遅延持続時間に関連付けられた第１のタイミング構成にしたがって、無線デバイスを動作させることを含んでいる。ネットワークノードにフィードバックを送信するための第２の遅延持続時間に関連付けられた第２のタイミング構成が、ネットワークノードから受信される。第２の遅延持続時間は、第１の遅延持続時間とは異なる。ネットワークノードからの第１のダウンリンク送信に応答して、第２のタイミング構成に関連付けられた第２の遅延持続時間に基づいて決定された送信時間における送信のために、第１のフィードバックがスケジュールされる。
【００１６】
特定の実施形態によれば、タイミング構成の同期制御のための無線デバイスは、命令を記憶するメモリと、無線デバイスに、ネットワークノードにフィードバックを送信するための第１の遅延持続時間に関連付けられた第１のタイミング構成にしたがって動作させるために、命令を実行するように動作可能な処理回路構成とを含んでいる。ネットワークノードにフィードバックを送信するための第２の遅延持続時間に関連付けられた第２のタイミング構成が、ネットワークノードから受信される。第２の遅延持続時間は、第１の遅延持続時間とは異なる。ネットワークノードからの第１のダウンリンク送信に応答して、第２のタイミング構成に関連付けられた第２の遅延持続時間に基づいて決定された送信時間における送信のために、第１のフィードバックがスケジュールされる。
【００１７】
特定の実施形態によれば、タイミング構成の同期制御のためのネットワークノードによる方法は、ネットワークノードにフィードバックを送信するための第１の遅延持続時間に関連付けられた第１のタイミング構成を、無線デバイスに送信することを含んでいる。フィードバックを送信するための第２の遅延持続時間に関連付けられた第２のタイミング構成が、無線デバイスに送信される。第２の遅延持続時間は、フィードバックを送信するための第１の遅延持続時間とは異なる。
【００１８】
特定の実施形態によれば、タイミング構成の同期制御のためのネットワークノードは、命令を記憶するメモリと、ネットワークノードに、ネットワークノードにフィードバックを送信するための第１の遅延持続時間に関連付けられた第１のタイミング構成を、無線デバイスに送信させるために、命令を実行するように動作可能な処理回路構成とを含んでいる。フィードバックを送信するための第２の遅延持続時間に関連付けられた第２のタイミング構成が、無線デバイスに送信される。第２の遅延持続時間は、フィードバックを送信するための第１の遅延持続時間とは異なる。
【００１９】
本開示の特定の実施形態は、１つまたは複数の技術的利点を提供し得る。たとえば、特定の実施形態によれば、低減された処理をサポートする無線デバイスは、２つ以上のアップリンクおよび／またはダウンリンク送信とＨＡＲＱタイミングモードおよび／または構成との間で動的に切り替えられ得る。技術的利点は、短縮されたＨＡＲＱアクノレッジメント／否定的なアクノレッジメント（ＨＡＲＱ−ＡＣＫ／ＮＡＣＫ）時間およびアップリンク（ＵＬ）許可タイミングであり得る。結果として、レイテンシに敏感な送信のためのより効率的な動作が提供され得る。別の技術的利点は、特定の実施形態が、異なるＨＡＲＱタイミング構成間の動的な切替を可能にし、これによって、最良の時間間隔が使用され得ることであり得る。結果として、データ損失が回避され得、この移行フェーズ中のデータ送信に対するレイテンシの増加が、大幅に回避され得る。
【００２０】
他の利点は、当業者に容易に明らかとなり得る。特定の実施形態は、列挙された利点のうちのどれも有し得ないか、いくつかを有し得るか、またはすべてを有し得る。
【００２１】
開示された実施形態ならびにこれらの特徴および利点をより完全に理解するために、添付の図面とともに以下の説明に対する参照がなされる。
【図面の簡単な説明】
【００２２】
【図１】スケジューリング要求に対する制御シグナリングタイミングを例示する図である。
【図２】既存のハイブリッド自動再送要求アクノレッジメント／否定的なアクノレッジメント（ＨＡＲＱ  ＡＣＫ／ＮＡＣＫ）タイミングを例示する図である。
【図３】特定の実施形態による、タイミング構成の同期制御のための例示的な無線通信ネットワークを例示する図である。
【図４】特定の実施形態による、タイミング構成の同期制御のための例示的な無線デバイスを例示する図である。
【図５】特定の実施形態による、タイミング構成の同期制御のための無線デバイスによる例示的な方法を例示する図である。
【図６】特定の実施形態による、タイミング構成の同期制御のための例示的な仮想的なコンピューティングデバイスを例示する図である。
【図７】特定の実施形態による、タイミング構成の同期制御のための例示的ネットワークノードを例示する図である。
【図８】特定の実施形態による、タイミング構成の同期制御のためのネットワークノードによる別の例示的な方法を例示する図である。
【図９】特定の実施形態による、タイミング構成の同期制御のための別の例示的な仮想的なコンピューティングデバイスを例示する図である。
【発明を実施するための形態】
【００２３】
ハイブリッド自動再送要求（ＨＡＲＱ）タイミング／構成に関連する既存の解決策に伴う問題に対処するために、タイミング構成の同期制御のためのシステムおよび方法が開示される。本明細書で考慮される実施形態のいくつかは、添付図面を参照してより完全に説明される。具体的には、特有の実施形態が、図面の図１〜図９に記載されており、様々な図面の同じ部分および対応する部分のために、同様の参照番号が使用されている。しかしながら、他の実施形態も、本開示の範囲内に含まれ、本発明は、本明細書に記載された実施形態のみに限定されると解釈されるべきではなく、むしろ、これらの実施形態は、本発明の概念の範囲を当業者に伝えるために例として提供されている。説明全体を通して、同様の番号は同様の要素を指す。
【００２４】
一般に、本明細書で使用されるすべての用語は、本明細書で他に明示的に規定されない限り、技術分野におけるこれらの通常の意味にしたがって解釈されるべきである。「１つの／その要素、装置、構成要素、手段、ステップ等」へのすべての参照は、他に明示的に述べられていない限り、要素、装置、構成要素、手段、ステップ等のうちの少なくとも１つのインスタンスを称するとしてオープンに解釈されるべきである。本明細書で開示された任意の方法のステップは、明示的に述べられていない限り、開示された正確な順序で実行される必要はない。
【００２５】
本明細書に記載された解決策は、任意の適切な構成要素を使用する任意の適切な種類のシステムで実施され得るが、説明した解決策の特有の実施形態は、無線ネットワークにおいて実施され得る。図３は、特定の実施形態による、タイミング構成の同期制御のための無線通信ネットワーク１００の例示的な実施形態を例示するブロック図である。例示的な実施形態では、無線通信ネットワーク１００は、通信および他の種類のサービスを、１つまたは複数の無線デバイス１１０に提供する。例示された実施形態では、無線通信ネットワーク１００は、無線通信ネットワーク１００によって提供されるサービスへの無線デバイスのアクセスおよび／またはその使用を容易にするネットワークノード１１５の１つまたは複数のインスタンスを含んでいる。無線通信ネットワーク１００はさらに、無線デバイス１１０間、または無線デバイス１１０と、固定電話のような別の通信デバイスとの間の通信をサポートするのに適した任意の追加の要素を含み得る。
【００２６】
ネットワーク２２０は、１つまたは複数のＩＰネットワーク、公衆交換電話網（ＰＳＴＮ）、パケットデータネットワーク、光ネットワーク、広域ネットワーク（ＷＡＮ）、ローカルエリアネットワーク（ＬＡＮ）、無線ローカルエリアネットワーク（ＷＬＡＮ）、有線ネットワーク、無線ネットワーク、大都市圏ネットワーク、および、デバイス間の通信を可能にするための他のネットワークを備え得る。
【００２７】
無線通信ネットワーク１００１は、任意の種類の通信、電気通信、データ、セルラ、および／または、無線ネットワーク、あるいは他の種類のシステムを表し得る。特有の実施形態では、無線通信ネットワーク１００は、特定の規格または他の種類のあらかじめ定義された規則もしくは手順にしたがって動作するように設定され得る。したがって、無線通信ネットワーク１００の特有の実施形態は、グローバル移動体通信システム（ＧＳＭ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｌｏｎｇ  Ｔｅｒｍ  Ｅｖｏｌｕｔｉｏｎ（ＬＴＥ）、および／または、他の適切な２Ｇ、３Ｇ、４Ｇ、または５Ｇ規格のような通信規格、ＩＥＥＥ  ８０２．１１規格のような無線ローカルエリアネットワーク（ＷＬＡＮ）規格、および／または、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭａｘ）、Ｂｌｕｅｔｏｏｔｈ、および／またはＺｉｇＢｅｅ規格のような他の任意の適切な無線通信規格を実施し得る。
【００２８】
簡単のために、図３は、ネットワーク１２０、ネットワークノード１１５、１１５ａ、および無線デバイス１１０のみを描写している。ネットワークノード１１５は、プロセッサ１２５、記憶装置１３０、インターフェース１３５、およびアンテナ１４０ａを備えている。同様に、無線デバイス１１０は、プロセッサ１４５、記憶装置１５０、インターフェース１５５、およびアンテナ１６０ａを含んでいる。これらの構成要素は、無線通信ネットワーク１００内に無線接続を提供するように、ネットワークノード１１５および／または無線デバイス１１０に機能を提供するためにともに作動し得る。異なる実施形態では、無線通信ネットワーク１００は、任意の数の有線または無線ネットワーク、ネットワークノード、基地局、コントローラ、無線デバイス、リレー局、ならびに／あるいは、有線接続または無線接続を介してのいずれにせよ、データおよび／または信号の通信を容易にし、またはそれに参加する他の任意の構成要素を含み得る。
【００２９】
本明細書で使用されるとき、「ネットワークノード」は、無線デバイス１１０への無線アクセスを可能および／または提供する無線デバイス１１０と、および／または、無線通信ネットワーク１００内の他の機器と、直接または間接的に通信するように可能な、設定された、構成された、および／または、動作可能な機器を称する。ネットワークノード１１５の例は、限定されないが、特に無線アクセスポイントにおけるアクセスポイント（ＡＰ）を含んでいる。ネットワークノード１１５は、無線基地局のような基地局（ＢＳ）を表し得る。無線基地局の特定の例は、ノードＢ、およびエボルブドノードＢ（ｅＮＢ）を含んでいる。基地局は、基地局が提供するカバレッジの量（または、言い換えれば、これらの送信電力レベル）に基づいて分類され得、その後、フェムト基地局、ピコ基地局、マイクロ基地局、またはマクロ基地局とも称され得る。「ネットワークノード」は、集中型デジタルユニット、および／または、リモート無線ヘッド（ＲＲＨ）と称されることもあるリモートラジオユニット（ＲＲＵ）のような分散型無線基地局の１つまたは複数（またはすべて）の部分も含んでいる。このようなリモートラジオユニットは、アンテナ一体型無線機としてアンテナと一体化されても、されなくてもよい。分散型無線基地局の一部は、分散型アンテナシステム（ＤＡＳ）内のノードとも称され得る。特有の実施形態では、基地局は、リレーを制御するリレーノードまたはリレードナーノードであり得る。
【００３０】
ネットワークノード１１５のさらなる例は、マルチスタンダード無線（ＭＳＲ）  ＢＳのようなＭＳＲ無線機器、無線ネットワークコントローラ（ＲＮＣ）または基地局コントローラ（ＢＳＣ）のようなネットワークコントローラ、基地トランシーバ局（ＢＴＳ）、送信ポイント、送信ノード、マルチセル／マルチキャスト協調エンティティ（ＭＣＥ）、コアネットワークノード（たとえば、ＭＳＣ、ＭＭＥ）、Ｏ＆Ｍノード、ＯＳＳノード、ＳＯＮノード、測位ノード（たとえば、Ｅ−ＳＭＬＣ）、および／またはＭＤＴを含んでいる。しかしながら、より一般的には、ネットワークノード１１５は、無線通信ネットワーク１００への無線デバイス１１０のアクセスを可能および／または提供するように、または、無線通信ネットワーク１００にアクセスした無線デバイス１１０へのいくつかのサービスを提供するように可能な、設定された、構成された、および／または、動作可能な任意の適切なデバイス（または、デバイスのグループ）を表し得る。
【００３１】
本明細書で使用されるように、「無線ノード」という用語は、それぞれ上述したように、無線デバイス１１０とネットワークノード１１５との両方を称するために一般的に使用されている。
【００３２】
上述したように、ネットワークノード１１５は、プロセッサ１２５、記憶装置１３０、インターフェース１３５、およびアンテナ１４０ａを備えている。これらの構成要素は、１つの大きなボックス内に配置された単一のボックスとして描写されている。しかしながら、実際には、ネットワークノード１１５は、単一の例示された構成要素を構成する多数の異なる物理的構成要素を備え得る（たとえば、インターフェース１３５は、有線接続のためのワイヤを結合するための端子と、無線接続のための無線トランシーバとを備え得る）。別の例として、ネットワークノード１１５は、ネットワークノード１１５の機能を提供するために多数の異なる物理的に別々の構成要素が相互作用する仮想的なネットワークノードであり得る。たとえば、プロセッサ１２５は、３個の別々のエンクロージャ内に配置された３個の別々のプロセッサを備え得、各プロセッサは、ネットワークノード１１５の特有のインスタンスのために、異なる機能を担う。同様に、ネットワークノード１１５は、多数の物理的に別々の構成要素から構成され得る。例として、ネットワークノード１１５は、ノードＢ構成要素およびＲＮＣ構成要素、ＢＴＳ構成要素およびＢＳＣ構成要素、または、おのおのが独自のそれぞれのプロセッサ、記憶装置、およびインターフェース構成要素を有し得る他の適切な構成要素から構成され得る。ネットワークノード１１５が多数の別々の構成要素を備える特定のシナリオでは、別々の構成要素のうちの１つまたは複数が、いくつかのネットワークノード１１５の間で共有され得る。たとえば、単一のＲＮＣが、多数のノードＢを制御し得る。このようなシナリオでは、各一意のノードＢとＢＳＣとのペアは、別々のネットワークノード１１５であり得る。いくつかの実施形態では、ネットワークノード１１５は、多数の無線アクセス技術（ＲＡＴ）をサポートするように設定され得る。このような実施形態では、いくつかの構成要素が複製され得、いくつかの構成要素が再使用され得る。たとえば、特有の実施形態では、異なるＲＡＴのおのおののために、別々の記憶装置１３０が含まれ得る。別の例として、特有の実施形態では、同じアンテナ１４０ａが、異なるＲＡＴによって共有され得る。
【００３３】
プロセッサ１２５は、マイクロプロセッサ、コントローラ、マイクロコントローラ、中央処理装置、デジタル信号プロセッサ、処理回路構成、特定用途向け集積回路、フィールドプログラマブルゲートアレイ、または、任意の他の適切なコンピューティングデバイス、リソース、または、単独または他のネットワークノード１１５と連携して、記憶装置１３０、ネットワークノード１１５機能のような構成要素を提供するように動作可能なハードウェア、ソフトウェア、および／または、符号化ロジックの組合せのうちの１つまたは複数の組合せであり得る。たとえば、プロセッサ１２５は、記憶装置１３０に記憶された命令を実行し得る。このような機能は、本明細書で開示された特徴または利点のいずれかを含む本明細書で論じられた様々な無線特徴を、無線デバイス１１０のような無線デバイスに提供することを含み得る。
【００３４】
記憶装置１３０は、限定しないが、永久記憶装置、ソリッドステートメモリ、リモートマウントメモリ、磁気媒体、光学媒体、ランダムアクセスメモリ（ＲＡＭ）、読出専用メモリ（ＲＯＭ）、リムーバブルメディア、または任意の他の適切なローカルもしくはリモートメモリ構成要素を含む任意の形態の揮発性または不揮発性のコンピュータ可読メモリを備え得る。記憶装置２０３は、ネットワークノード１１５によって利用されるソフトウェアおよび符号化ロジックを含む任意の適切な命令、データまたは情報を記憶し得る。記憶装置１３０は、プロセッサ１２５によって行われた任意の計算、および／または、インターフェース１３５を介して受信された任意のデータを記憶するために使用され得る。
【００３５】
特定の実施形態によれば、インターフェース１３５は、ネットワークノード１１５、ネットワーク１２０、および／または無線デバイス１１０の間のシグナリングおよび／またはデータの有線または無線による通信において使用され得る。たとえば、インターフェース１３５は、ネットワークノード１１５が有線接続を介してネットワーク１２０とデータを送受信することを可能にするために必要とされ得る任意のフォーマット、コーディング、または変換を実行し得る。インターフェース１３５はまた、アンテナ１４０ａに結合され得るか、またはアンテナ１４０ａの一部であり得る無線送信機および／または受信機を含み得る。無線機は、無線接続を介して他のネットワークノードまたは無線デバイスに送信されるべきデジタルデータを受信し得る。無線機は、デジタルデータを、適切なチャネルおよび帯域幅パラメータを有する無線信号に変換し得る。無線信号はその後、アンテナ１４０ａを介して、たとえば無線デバイス１１０のような適切な受信者に送信され得る。
【００３６】
アンテナ１４０ａは、データおよび／または信号を無線で送受信することができる任意の種類のアンテナであり得る。いくつかの実施形態では、アンテナ１４０ａは、たとえば２ＧＨｚと６６ＧＨｚとの間で無線信号を送信／受信するように動作可能な１つまたは複数の全方向性のセクタまたはパネルアンテナを備え得る。全方向性アンテナは、無線信号を任意の方向に送信／受信するために使用され得、セクタアンテナは、特有のエリア内のデバイスから無線信号を送信／受信するために使用され得、パネルアンテナは、比較的直線的に無線信号を送信／受信するために使用される視線アンテナであり得る。
【００３７】
本明細書で使用されるとき、「無線デバイス」は、ネットワークノードおよび／または別の無線デバイスと無線で通信するように可能な、設定された、構成された、および／または、動作可能なデバイスを称する。無線通信は、電磁信号、電波、赤外線信号、および／または、空気を介して情報を伝達するのに適した他の種類の信号を使用して、無線信号を送信および／または受信することを含み得る。特有の実施形態では、無線デバイスは、直接的な人間の対話なしに情報を送信および／または受信するように設定され得る。たとえば、無線デバイスは、内部または外部のイベントによってトリガされたとき、またはネットワークからの要求に応答して、あらかじめ決定されたスケジュールで、ネットワークに情報を送信するように設計され得る。一般に、無線デバイスは、無線通信のために可能な、設定された、構成された、および／または、動作可能な任意のデバイス、たとえば、無線通信デバイスを表し得る。無線デバイスの例は、限定されないが、スマートフォンのようなユーザ機器（ＵＥ）を含んでいる。さらなる例は、無線カメラ、無線対応タブレットコンピュータ、ラップトップ内蔵機器（ＬＥＥ）、ラップトップ搭載機器（ＬＭＥ）、ＵＳＢドングル、および／または、無線顧客宅内機器（ＣＰＥ）を含んでいる。
【００３８】
１つの具体例として、無線デバイス１１０は、第３世代パートナーシッププロジェクト（３ＧＰＰ）のＧＳＭ、ＵＭＴＳ、ＬＴＥ、および／または５Ｇ規格のような、３ＧＰＰによって公布された１つまたは複数の通信規格にしたがって通信するように設定されたＵＥを表し得る。本明細書で使用されるとき、「ユーザ機器」または「ＵＥ」は、関連するデバイスを所有および／または操作する人間のユーザという意味で必ずしも「ユーザ」を有するとは限らない。そうではなく、ＵＥは、人間のユーザへの販売または人間のユーザによる操作が意図されているが、最初は、特定の人間のユーザに関連付けられていないことがあるデバイスを表し得る。
【００３９】
無線デバイス１１０は、たとえばサイドリンク通信のために３ＧＰＰ規格を実施することによって、デバイスツーデバイス（Ｄ２Ｄ）通信をサポートし得、この場合、Ｄ２Ｄ通信デバイスと称され得る。
【００４０】
さらに別の具体例として、モノのインターネット（ＩＯＴ）シナリオでは、無線デバイス１１０は、監視および／または測定を実行し、このような監視および／または測定の結果を別の無線デバイス１１０および／またはネットワークノード１１５に送信するマシンまたは他のデバイスを表し得る。この場合、無線デバイス１１０は、マシンツーマシン（Ｍ２Ｍ）デバイスであり得、これは、３ＧＰＰの文脈では、マシンタイプ通信（ＭＴＣ）デバイスと称され得る。１つの特有の例として、無線デバイス１１０は、３ＧＰＰ狭帯域モノのインターネット（ＮＢ−ＩｏＴ）規格を実施するＵＥであり得る。このようなマシンまたはデバイスの特定の例は、センサ、電力計のような計量デバイス、産業機械、または、たとえば、冷蔵庫、テレビ、腕時計のような個人用ウェアラブルのような、家庭用または個人用の電化製品である。他のシナリオでは、無線デバイス１１０は、この動作状態またはこの動作に関連付けられた他の機能について監視および／または報告することができる車両または他の機器を表し得る。
【００４１】
上述したような無線デバイス１１０は、無線接続の終点を表し得、この場合、デバイスは、無線端末と称され得る。さらに、上述したような無線デバイス１１０は、モバイルであり得、この場合、モバイルデバイスまたはモバイル端末とも称され得る。
【００４２】
図３に描写されているように、無線デバイス１１０は、任意の種類の無線終点、移動局、モバイル電話、無線ローカルループ電話、スマートフォン、ユーザ機器、デスクトップコンピュータ、ＰＤＡ、セル電話、タブレット、ラップトップ、ＶｏＩＰ電話またはハンドセットであり得、ネットワークノード１１５および／または他の無線デバイスとの間でデータおよび／または信号を無線で送受信することができる。無線デバイス１１０は、プロセッサ１４５、記憶装置１５０、インターフェース１５５、およびアンテナ１６０ａを備えている。ネットワークノード１１５と同様に、無線デバイス１１０の構成要素は、単一のより大きなボックス内に配置された単一のボックスとして描写されているが、実際には、無線デバイスは、例示された単一の構成要素を構成する多数の異なる物理的構成要素を備え得る。たとえば、記憶装置１５０は、多数の個別のマイクロチップを含み、各マイクロチップは、全記憶容量の一部を表す。
【００４３】
プロセッサ１４５は、マイクロプロセッサ、コントローラ、マイクロコントローラ、中央処理装置、デジタル信号プロセッサ、処理回路構成、特定用途向け集積回路、フィールドプログラマブルゲートアレイ、または、単独で、または記憶装置１５０のような他の無線デバイス１１０の構成要素と組み合わせて、無線デバイス１１０機能を提供するように動作可能な、任意の他の適切なコンピューティングデバイス、リソース、またはハードウェア、ソフトウェア、および／または符号化ロジックの組合せ、のうちの１つまたは複数の組合せであり得る。このような機能は、本明細書に開示された特徴または利点のいずれかを含む、本明細書で論じられた様々な無線特徴を提供することを含み得る。
【００４４】
記憶装置１５０は、限定しないが、永久記憶装置、ソリッドステートメモリ、リモートマウントメモリ、磁気媒体、光学媒体、ランダムアクセスメモリ（ＲＡＭ）、読出専用メモリ（ＲＯＭ）、リムーバブルメディア、または他の任意の適切なローカルまたはリモートのメモリ構成要素を含む任意の形態の揮発性または不揮発性メモリであり得る。記憶装置１５０は、無線デバイス１１０によって利用されるソフトウェアおよび符号化ロジックを含む任意の適切なデータ、命令、または情報を記憶し得る。記憶装置１５０は、プロセッサ１４５によって行われた任意の計算、および／または、インターフェース１５５を介して受信された任意のデータを記憶するために使用され得る。
【００４５】
インターフェース１５５は、無線デバイス１１０とネットワークノード１１５との間のシグナリングおよび／またはデータの無線通信において使用され得る。たとえば、インターフェース１５５は、無線デバイス１１０が無線接続を介してネットワークノード１１５とデータを送受信することを可能にするために必要とされ得る任意のフォーマット、コーディング、または変換を実行し得る。インターフェース１５５はまた、アンテナ１６０ａに結合され得るか、または、アンテナ１６０ａの一部であり得る無線送信機および／または受信機を含み得る。無線機は、無線接続を介してネットワークノード１１５に送信されるべきデジタルデータを受信し得る。無線機は、デジタルデータを、適切なチャネルおよび帯域幅パラメータを有する無線信号に変換し得る。無線信号は、その後、アンテナ１４０ａを介して、ネットワークノード１１５に送信され得る。
【００４６】
アンテナ１６０ａは、データおよび／または信号を無線で送受信することができる任意の種類のアンテナであり得る。いくつかの実施形態では、アンテナ１６０ａは、２ＧＨｚから６６ＧＨｚの間の無線信号を送信／受信するように動作可能な１つまたは複数の全方向性のセクタまたはパネルアンテナを備え得る。簡略のために、アンテナ１６０ａは、無線信号が使用されている限りにおいては、インターフェース１５５の一部と見なされ得る。
【００４７】
図１は、無線通信ネットワーク１００の特有の構成を例示しているが、本開示は、本明細書に記載された様々な実施形態を、任意の適切な構成を有する様々なネットワークに適用され得ることを考慮している。ネットワークノード１１５、無線デバイス１１０、および他のネットワークノードの他の例示的な実施形態は、それぞれ図４および図７に関してより詳細に説明される。特定の実施形態では、無線通信デバイス１１０、ネットワークノード１２０、およびコアネットワークノード１３０は、Ｌｏｎｇ  Ｔｅｒｍ  Ｅｖｏｌｕｔｉｏｎ（ＬＴＥ）、ＬＴＥアドバンスト、ＵＭＴＳ、ＨＳＰＡ、ＧＳＭ、ｃｄｍａ２０００、ＷｉＭａｘ、ＷｉＦｉ、他の適切な無線アクセス技術、または、１つまたは複数の無線アクセス技術の任意の適切な組合せのような任意の適切な無線アクセス技術を使用する。例示の目的のために、様々な実施形態が、特定の無線アクセス技術の文脈内で記載され得る。しかしながら、本開示の範囲はこれら例に限定されず、他の実施形態が、異なる無線アクセス技術を使用することができる。
【００４８】
特定の実施形態によれば、無線デバイス１１０は、短縮された処理時間および／または短い送信時間間隔（ＴＴＩ）をサポートすることができる。それぞれの構成は、無線リソース制御（ＲＲＣ）機能交換を介して示され得る。したがって、特有の実施形態では、ネットワークノード１１５は、ＲＲＣ再構成メッセージを介して、短縮された処理時間および／または短いＴＴＩを使用するように、無線デバイス１１０を再構成し得る。無線デバイス１１０がこのＲＲＣ再構成を起動し使用し始める正確なタイミングは定義されていないので、新たな構成を起動するための別々の指示が必要とされ得る。このようにして、ネットワークノード１１５と無線デバイス１１０は、無線デバイス１１０がいつ新たな構成を適用し、またはその適用を開始するかに関して同期され得る。この指示がどのように実現され得るか、および２つの構成間の移行に関連する問題がどのように解決され得るかが、以下で論じられる。
【００４９】
特定の実施形態によれば、無線デバイス１１０は、物理データ制御チャネル（ＰＤＣＣＨ）、拡張物理データ制御チャネル（ＥＰＤＣＣＨ）、または物理データ共有チャネル（ＰＤＳＣＨ）送信のシグナリング、指示、またはフォーマットに応答して、送信されるべき物理アップリンク共有チャネル（ＰＵＳＣＨ）およびアクノレッジメント／否定的なアクノレッジメント（ＡＣＫ／ＮＡＣＫ）フィードバックのためのＨＡＲＱタイミングおよびＵＬ送信時間を決定し得る。特有の実施形態では、ＨＡＲＱタイミングおよびＵＬ送信時間は、ＤＬサブフレーム内の使用される直交周波数分割多元接続（ＯＦＤＭ）シンボルのセットと、リソース割当をシグナルするために使用される制御チャネルの送信時間および種類とから決定され得る。
【００５０】
より短い処理構成ｎ＋ｋが示されるとき、ＡＣＫ／ＮＡＣＫフィードバックまでの時間は、サブフレームのためのデフォルトのリソース割当を伴う場合と比較してより短くなり得る。異なるＤＬサブフレームにおけるＰＤＳＣＨ送信からのＡＣＫ／ＮＡＣＫは、たとえば、ＡＣＫ／ＮＡＣＫ多重化またはＡＣＫ／ＮＡＣＫバンドリングを通して、ＵＬにおいて同時に送信され得ることにも留意されたい。
【００５１】
既存のＨＡＲＱ  ＡＣＫ／ＮＡＣＫタイミングと比較して、タイムリーなＨＡＲＱ  ＡＣＫ／ＮＡＣＫフィードバック、したがってレイテンシの利点を可能にするためにより正確なタイミングルールが本明細書で提案される。特有の実施形態によれば、たとえば、無線デバイス１１０は、以下のうちの任意の１つまたは複数によって、２つ以上の／いくつかのＵＬ／ＤＬ送信およびＨＡＲＱタイミングモード／構成間で動的に切り替えられ得る。
・ダウンリンク制御チャネル（たとえば、ＳＰ−Ｃ−ＲＮＴＩ  ＰＤＣＣＨ／ＥＰＤＣＣＨ）においてＵＥ固有識別情報を使用すること
・ダウンリンク制御チャネル（たとえば、グループＲＮＴＩ  ＰＤＣＣＨ／ＥＰＤＣＣＨ）においてＵＥ共通識別情報を使用すること
・ダウンリンク制御情報の特別なフォーマットを使用すること
・ＤＬパケットデータユニット（たとえば、ＭＡＣ制御要素）における制御フィールドまたはヘッダを使用すること
【００５２】
特定の実施形態によれば、ショートプロセシングアイデンティティ（ＳＰ−Ｃ−ＲＮＴＩ）がＲＲＣにおいて定義され得る。特定の実施形態によれば、より短いタイミング関係ｎ＋ｋ１は、あらかじめ定義されているかまたはＲＲＣ設定され得る、以前に定義されたタイミング関係とは異なり、特有の実施形態では、あらかじめ定義されているかまたはＲＲＣ設定され得る、以前に定義されたタイミング関係よりも、短いことがあり得る。このデフォルトタイミングｎ＋ｋ０は、現在のレガシータイミングｎ＋４よりも短いことがあり得る。
【００５３】
特有の実施形態によれば、より短いタイミングｎ＋ｋ１への切替は、トグルによって行われ得る。たとえば、１つの制御メッセージは、ショートプロセシングＳＰ−Ｃ−ＲＮＴＩを用いてスクランブルされ送信され得る。特別な起動メッセージまたは通常のＤＣＩメッセージであり得るメッセージを受信した後、特有の実施形態では、無線デバイス１１０は、Ｃ−ＲＮＴＩを用いてスクランブルされたＤＣＩを受信したとき、無線デバイス１１０が、ＳＰ−Ｃ−ＲＮＴＩを用いてスクランブルされたデフォルトタイミングｎ＋ｋ０で別のメッセージを受信するまで、より短いタイミングｎ＋ｋ１を使用し得る。特有の実施形態では、無線デバイス１１０は、ＭＡＣ制御要素の形態で、タイミングトグルのアクノレッジメントを送信し得る。
【００５４】
別の実施形態によれば、より短いタイミングｎ＋ｋ１への切替は、個々の指示を用いて行われ得る。たとえば、ショートプロセシングＳＰ−Ｃ−ＲＮＴＩを用いてスクランブルされたＤＣＩが送信され得る。ＳＰ−Ｃ−ＲＮＴＩを用いてスクランブルされた各メッセージに対して、無線デバイス１１０は、短い処理時間ｎ＋ｋ１を使用し得る。逆に、Ｃ−ＲＮＴＩを用いてスクランブルされた各メッセージに対して、無線デバイス１１０は、デフォルトの処理時間ｎ＋ｋ０を使用するであろう。
【００５５】
多数のＳＰ−Ｃ−ＲＮＴＩアドレスを定義することによって、多数のタイミング関係が定義され得る。たとえば、ＳＰ１−Ｃ−ＲＮＴＩ、ＳＰ２−Ｃ−ＲＮＴＩのような多数のアドレスが定義され得る。その後、上述したようなトグルまたは個々の指示が、たとえば、ｎ＋２およびｎ＋３タイミングのような多数のタイミング関係ｎ＋ｋ１およびｎ＋ｋ２に拡張され得る。
【００５６】
ＤＬの特定の実施形態によれば、ｎ＋４とｎ＋３の処理の間の移行点において、ＤＬのためのＨＡＲＱフィードバックがオーバラップし得る。表１は、レガシーｎ＋４タイミングおよび新たなｎ＋３タイミングにしたがって動作する処理に対するＤＬ  ＨＡＲＱフィードバックの衝突の問題を例示する。
2019537857.tif 000003
図示されるように、ＴＴＩ９で変化する指示のために、ｎ＋３を示す第１の送信がＴＴＩ１２において発生する。
【００５７】
たとえば、シグナリングは、ＴＴＩＸで受信されたトグル指示について以下の通りであり得る。
・Ｘ−１におけるＤＬ  ＨＡＲＱ処理が、レガシータイミングにしたがってＸ−１＋４、すなわちＸ＋３においてフィードバックを送信する
・ＸにおけるＤＬ  ＨＡＲＱ処理が、新たなタイミングにしたがって、Ｘ＋３においてフィードバックを送信する
【００５８】
様々な実施形態によれば、衝突は、以下によって解決され得る。
・非同期ＨＡＲＱ、すなわち使用されるべきＨＡＲＱ処理ＩＤが、ＰＤＣＣＨを介して示される
・ＰＵＣＣＨにおけるＤＬ  ＨＡＲＱフィードバック多重化、すなわち、Ｘ＋３におけるＰＵＣＣＨフォーマットが使用され、これは、Ｘ−１およびＸにおける両処理のためのフィードバックを伝送し得る
・Ｘ−１におけるＨＡＲＱ処理と、ＸにおけるＨＡＲＱ処理とにおいて、両コードワードが正しく受信された場合、ＰＵＣＣＨにおけるＤＬ  ＨＡＲＱフィードバックバンドリング、すなわち、コードワードのために送信されたフィードバックは、ＡＣＫのみである
・フィードバックがＸ＋３において送信される、優先ルールを有する同期ＤＬ  ＨＡＲＱ。無線デバイスは、Ｘ−１またはＸからのいずれかの処理についてのフィードバックのみを送信するように設定され得る。この場合、ネットワークノードは、この処理をＮＡＣＫと見なし得る（すなわち、次の機会において新たなデータ送信のために使用することはできないが、再送信をスケジュールする必要がある）。
・ネットワークノードによって実施されるとき、ネットワークノード１１５が、Ｘにおいてｎ＋４モードからｎ＋３モードに切り替わることを意図するとき、ネットワークノード１１５は、Ｘ−１において、ＤＬ  ＨＡＲＱ送信をスケジュールしないことがあり得る。
・Ｘにおいて受信されたＤＬ  ＨＡＲＱデータを無視する。無線デバイス１１０は、Ｘにおいて受信されたＤＬ  ＨＡＲＱ処理データを無視し得るので、Ｘ＋３においてフィードバックを送信しない。このように、レガシータイミングでＸ−１において開始された処理は、Ｘ＋３において優先付けられる。ｅＮＢは、たとえば、ＸにおいてパディングまたはＭＡＣ制御のみ（すなわち、データなし）を送信することができる。
【００５９】
ＵＬの特定の実施形態によれば、ｎ＋４処理とｎ＋３処理との間の移行点において、ＵＬ送信と、ＵＬ送信のためのＨＡＲＱフィードバック送信とがオーバラップし得る。表２は、Ｎ＋４タイミングとＮ＋３タイミングとの間の移行について、衝突するＵＬ送信とフィードバックとの問題を例示する。
2019537857.tif 000004
図示されるように、ＴＴＩ９におけるｎ＋４からｎ＋３への移行の場合、ＵＬ送信とフィードバックが、ＴＴＩ９において衝突する。
【００６０】
より具体的には、シグナリングは、以下の通りであり得る。
・Ｘ−１において許可された（またはＮａｃｋされた）ＵＬ  ＨＡＲＱ処理は、レガシータイミングにしたがって、Ｘ−１＋４、すなわちＸ＋３において送信する
・Ｘにおいて許可されたＵＬ  ＨＡＲＱ処理は、新たなタイミングにしたがって、Ｘ＋３において送信する
・Ｘ−１において許可された（またはＮａｃｋされた）ＵＬ  ＨＡＲＱ処理は、レガシータイミングにしたがって、Ｘ−１＋８、すなわちＸ＋７においてフィードバックを期待する
・Ｘ−１において許可された（またはＮａｃｋされた）ＵＬ  ＨＡＲＱ処理は、レガシータイミングにしたがって、Ｘ−２＋８、すなわちＸ＋６においてフィードバックを期待する
・Ｘにおいて許可されたＵＬ  ＨＡＲＱ処理は、新たなタイミングにしたがって、Ｘ＋６、すなわちＸ＋６においてフィードバックを期待する
・Ｘ＋１において許可されたＵＬ  ＨＡＲＱ処理は、新たなタイミングにしたがって、Ｘ＋１＋６、すなわちＸ＋７においてフィードバックを期待する。
【００６１】
特定の実施形態によれば、Ｘにおいて許可されたＵＬ  ＨＡＲＱ処理を、Ｘ−１において許可された処理にオーバーライドさせることによって、ＵＬ送信のオーバラップと、ＵＬ送信についてのＨＡＲＱフィードバックのオーバラップとを回避することが可能であり得る。あるいは、そして特有の実施形態によれば、衝突は、以下の方法のうちの１つまたは複数によって解決され得る。
・非同期ＨＡＲＱ。たとえば、使用されるべきＨＡＲＱ処理ＩＤは、非同期ＨＡＲＱが、ｎ＋４動作とｎ＋３動作との両方に適用される場合、ＰＤＣＣＨを介して示され得る。
・ｎ＋３動作のための非同期ＨＡＲＱ。たとえば、使用されるべきＨＡＲＱ処理ＩＤは、ＰＤＣＣＨを介して示され得、サブフレームまたはＴＴＩとＨＡＲＱ処理ＩＤとの間の指定されたマッピングは、ネットワークノード１１５と無線デバイス１１０との両方に知られ得る。特有の実施形態では、ｎ＋４動作は、同期ＨＡＲＱを使用し、既存のＵＬ  ＤＣＩフォーマットを用いてＵＳＳまたはＣＳＳのいずれかを介してスケジュールされ得る。ｎ＋３動作とｎ＋４動作とを切り替えることを可能にするために、サブフレームとＨＡＲＱ処理ＩＤとの間のマッピングが非常に重要であり、タイミング変更前のＨＡＲＱ処理ＩＤのバッファ内の残りのデータが、適切にスケジュールされ得、タイミング変更後に送信され得る。
【００６２】
以下は、サブフレームとＨＡＲＱ処理ＩＤとの間のマッピング例を与える。この例では、トランスポートブロックあたりｎｐ個のＨＡＲＱ処理があり、これらのＩＤは、非同期ＨＡＲＱを適用するＵＬ  ＤＣＩにおけるｌｏｇ２（ｎｐ）ビットのフィールドによって表されると仮定される。よって、００．．．０は、ＨＡＲＱ処理ＩＤ  ０である一方、１１．．．１は、ＨＡＲＱ処理ＩＤ  ｎｐ−１である。ＬＴＥでは、無線フレームは２０個のスロットで構成され、これらスロットは、１０個のサブフレームを構築するためにペアでグループ化される。たとえば、ＴＳ３６．２１１の表記法を使用して、無線フレーム内のスロット番号は、ｎｓと表示され得、ここで、１５ｋＨｚサブキャリア間隔の場合、ｎｓ∈｛０、１、．．．１９｝である。システムフレーム番号がｎｆによって与えられると、絶対サブフレーム番号は、
2019537857.tif 000005
であり、ここで
2019537857.tif 000006
は、フロア演算である。ｎ＋３タイミングからｎ＋４タイミングへの切替後の同期ＨＡＲＱ動作のために提案されたサブフレームからＨＡＲＱ処理ＩＤへのマッピングは、以下のように表現され得る。システムフレーム番号とスロット番号が与えられると、所与のサブフレーム内でサービスされるべきＨＡＲＱ処理ＩＤは
2019537857.tif 000007
である。
・１つは、ｎ＋３動作用であり、もう１つはｎ＋４動作用である、ＨＡＲＱ処理の２つの別々のセットが維持され得る。ｎ＋３からｎ＋４へ、またはこの逆に切り替えるとき、対応するＨＡＲＱ処理（および、ＨＡＲＱバッファ）のセットは、スケジューリング、送信、およびデータ記憶のために使用される。これは、異なるタイミングへの変更後、前のセットのＨＡＲＱ処理内の潜在的な残りのバッファはスケジュールされず、もはや送信されないことを意味する。これは、前のタイミングへの復帰後にのみスケジュールされ、再度送信され得る。タイマは、この有効期限が切れると、ＨＡＲＱ処理の非アクティブなセットのＨＡＲＱバッファ内に潜在的に残っているデータが、たとえばＲＬＣのような上位のレイヤにプッシュバックされることを保証する。これは全体的な送信のレイテンシに影響を与え得る。
・無線デバイス内の優先ルールは、（Ｘ−１またはＸからの）許可にしたがってＵＬ送信が行われるか否かを定義し得る。ＮＡＣＫもまた、Ｘ−１からの処理のために受信され得ることに留意されたい。特有の実施形態では、優先付けされていない処理のＨＡＲＱバッファが維持されねばならない。具体的には、Ｘ−１から以前にＮＡＣＫされた処理のＨＡＲＱバッファが維持されねばならない。したがって、無線デバイス１１０は、この優先付けされていない処理のためのＡＣＫを仮定し得る。その後、再送信がスケジュールされ得る。ＵＬ送信のために優先処理が考慮され得る。
・ネットワークノード１１５によって実施される場合、ネットワークノードが、Ｘにおいてｎ＋４からｎ＋３モードに切り替わることを意図するとき、ネットワークノード１１５は、Ｘ−１において、ＵＬ  ＨＡＲＱ送信をスケジュールまたは許可しないことがあり得る。ＵＬ  ＨＡＲＱ処理が既に進行中である場合、ネットワークノードは、ＵＬ処理のＡＣＫを積極的に示し得、この結果、Ｘ＋３において再送信は行われない。
・Ｘにおいて受信されたＤＬ  ＨＡＲＱデータを無視する。無線デバイス１１０は、Ｘにおいて受信されたＤＬ  ＨＡＲＱ処理データを無視し得るので、Ｘ＋３においてフィードバックを送信しない。このように、レガシータイミングでＸ−１において開始された処理は、Ｘ＋３において優先付けられる。ｅＮＢは、たとえば、Ｘにおいて、パディングまたはＭＡＣ制御のみ（すなわち、データなし）を送信し得る。
【００６３】
さらに他の実施形態によれば、期待されるフィードバック指示において、無線デバイス１１０内のルールが定義され得、これにしたがって、無線デバイス１１０は、レガシータイミングまたは新たなタイミングにしたがって、いずれかの処理のために、ＡＣＫまたはＮＡＣＫのいずれかを仮定する、たとえば、無線デバイスルールは、無線デバイス１１０が、予想されるフィードバック時間においてフィードバックが受信されなかった処理のために、ＡＣＫまたはＮＡＣＫを仮定すべきか否かを明示し得る。たとえば、構成は、新たなタイミング関係、したがって、新たなタイミング関係の処理が使用され、物理ＨＡＲＱ指示チャネル（ＰＨＩＣＨ）が、これらの処理のためのフィードバック送信のために使用されるというものである。レガシータイミングにしたがって動作する処理は、移行後の第１のフィードバック機会において、いかなるフィードバックも得られない可能性があり、無線デバイス１１０は、これらに対してＡＣＫを仮定し得る。これらに対する定期的なフィードバックは、処理が新たなタイミング関係にしたがって動作するときにも、後に送信される。
【００６４】
図４は、特定の実施形態にしたがう、タイミング構成の同期制御のための例示的なユーザ機器２００を例示する。図４に図示されるように、ユーザ機器２００は、無線デバイス１１０のような例示的な無線デバイスである。ＵＥ２００は、アンテナ２０５、無線フロントエンド回路構成２１０、処理回路構成２１５、およびコンピュータ可読記憶媒体２３０を含んでいる。アンテナ２０５は、１つまたは複数のアンテナまたはアンテナアレイを含み得、無線信号を送信および／または受信するように設定され、無線フロントエンド回路構成２１０に接続されている。特定の代替実施形態では、無線デバイス２００は、アンテナ２０５を含まなくてもよく、代わりに、アンテナ２０５は、無線デバイス２００とは別々であり、インターフェースまたはポートを介して無線デバイス２００に接続可能であり得る。
【００６５】
無線フロントエンド回路構成２１０は、様々なフィルタおよび増幅器を含み得、アンテナ２０５および処理回路構成２１５に接続され、アンテナ２０５と処理回路構成２１５との間で通信される信号を調整するように設定される。特定の代替実施形態では、無線デバイス２００は、無線フロントエンド回路構成２１０を含まないことがあり得、処理回路構成２１５は、無線フロントエンド回路構成２１０なしでアンテナ２０５に接続され得る。
【００６６】
処理回路構成２１５は、無線周波数（ＲＦ）トランシーバ回路構成、ベースバンド処理回路構成、およびアプリケーション処理回路構成のうちの１つまたは複数を含み得る。いくつかの実施形態では、ＲＦトランシーバ回路構成、ベースバンド処理回路構成、およびアプリケーション処理回路構成は、別々のチップセット上にあり得る。代替実施形態では、ベースバンド処理回路構成およびアプリケーション処理回路構成の一部またはすべてが、１個のチップセットに組み合わされ得、ＲＦトランシーバ回路構成は、別々のチップセット上にあり得る。さらに別の実施形態では、ＲＦトランシーバ回路構成とベースバンド処理回路構成の一部またはすべてが、同じチップセット上にあり得、アプリケーション処理回路構成が、別々のチップセット上にあり得る。さらに他の代替実施形態では、ＲＦトランシーバ回路構成、ベースバンド処理回路構成、およびアプリケーション処理回路構成の一部またはすべてが、同じチップセット内で組み合わされ得る。処理回路構成２１５は、たとえば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含み得る。
【００６７】
特有の実施形態では、無線デバイスによって提供されるものとして本明細書に記載された機能のうちのいくつかまたはすべては、コンピュータ可読記憶媒体２３０に記憶された命令を実行する処理回路構成２１５によって提供され得る。代替実施形態では、機能のうちのいくつかまたはすべては、ハードワイヤード方式におけるように、コンピュータ可読媒体に記憶された命令を実行することなく、処理回路構成２１５によって提供され得る。これらの特有の実施形態のいずれにおいても、コンピュータ可読記憶媒体に記憶された命令を実行するか否かに関わらず、処理回路構成は、記載された機能を実行するように設定されていると言える。このような機能によって提供される利点は、処理回路構成２１５単独またはＵＥ２００の他の構成要素に限定されず、無線デバイス全体として、および／または一般にエンドユーザおよび無線ネットワークによって享受される。
【００６８】
アンテナ２０５、無線フロントエンド回路構成２１０、および／または処理回路構成２１５は、無線デバイスによって実行されるものとして本明細書に記載された任意の受信動作を実行するように設定され得る。任意の情報、データおよび／または信号が、ネットワークノードおよび／または別の無線デバイスから受信され得る。
【００６９】
処理回路構成２１５は、無線デバイスによって実行されるものとして本明細書に記載された任意の決定動作を実行するように設定され得る。処理回路構成２１５によって実行されるように決定することは、たとえば、取得された情報を他の情報に変換すること、取得された情報または変換された情報を、無線デバイスに記憶された情報と比較すること、および／または、取得された情報または変換された情報に基づいて、および前記処理が決定した結果として、１つまたは複数の動作を実行することによって、処理回路構成２１５によって取得された情報を処理することを含み得る。
【００７０】
アンテナ２０５、無線フロントエンド回路構成２１０、および／または処理回路構成２１５は、無線デバイスによって実行されるものとして本明細書で記載される任意の送信動作を実行するように設定され得る。任意の情報、データおよび／または信号が、ネットワークノードおよび／または別の無線デバイスに送信され得る。
【００７１】
コンピュータ可読記憶媒体２３０は、一般に、コンピュータプログラムと、ソフトウェアと、ロジック、ルール、コード、表等のうちの１つまたは複数を含むアプリケーションとのような命令、および／または、プロセッサによる実行が可能な他の命令を記憶するように動作可能である。コンピュータ可読記憶媒体２３０の例は、コンピュータメモリ（たとえば、ランダムアクセスメモリ（ＲＡＭ）または読出専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、情報と、データと、および／または、処理回路構成２１５によって使用され得る命令とを記憶する他の任意の揮発性または不揮発性、非一時的なコンピュータ可読および／またはコンピュータ実行可能なメモリデバイスを含んでいる。いくつかの実施形態では、処理回路構成２１５およびコンピュータ可読記憶媒体２３０は、統合されていると見なされ得る。
【００７２】
ＵＥ２００の代替実施形態は、本明細書に記載された機能のいずれか、および／または、上述した解決策をサポートするのに必要ないずれかの機能を含む、ＵＥの機能の特定の態様を提供することを担い得る図４に図示されるもの以外の追加の構成要素を含み得る。単なる一例として、ＵＥ２００は、入力インターフェース、デバイスおよび回路構成、ならびに出力インターフェース、デバイスおよび回路を含み得る。入力インターフェース、デバイス、および回路は、ＵＥ２００への情報の入力を可能にするように設定され、処理回路構成２１５が、入力情報を処理することを可能にするように、処理回路構成２１５に接続される。たとえば、入力インターフェース、デバイス、および回路は、マイクロフォン、近接センサまたは他のセンサ、キー／ボタン、タッチディスプレイ、１つまたは複数のカメラ、ＵＳＢポート、または他の入力要素を含み得る。出力インターフェース、デバイス、および回路は、ＵＥ２００からの情報の出力を可能にするように設定され、処理回路構成２１５が、ＵＥ２００からの情報を出力することを可能にするように、処理回路構成２１５に接続される。たとえば、出力インターフェース、デバイス、または回路は、スピーカ、ディスプレイ、振動回路構成、ＵＳＢポート、ヘッドフォンインターフェース、または他の出力要素を含み得る。１つまたは複数の入出力インターフェース、デバイス、および回路を使用して、ＵＥ２００は、エンドユーザおよび／または無線ネットワークと通信し、これらが、本明細書に記載された機能から利益を得ることを可能にし得る。
【００７３】
別の例として、ＵＥ２００は、電源２３５を含み得る。電源２３５は、電力管理回路構成を備え得る。電源２３５は、電源から電力を受け取り得、電源は、電源２３５に含まれるか、または電源２３５の外部にあり得る。たとえば、ＵＥ２００は、電源２３５に接続されているかまたは電源２３５に統合されているバッテリまたはバッテリパックの形態で電源を備え得る。光起電力デバイスのような他の種類の電源も使用され得る。さらなる例として、ＵＥ２００は、電気ケーブルのような入力回路構成またはインターフェースを介して（コンセントのような）外部電源に接続可能であり得、これによって、外部電源は電源２３５に電力を供給する。電源２３５は、無線フロントエンド回路構成２１０、処理回路構成２１５、および／または、コンピュータ可読記憶媒体２３０に接続され得、処理回路構成２１５を含むＵＥ２００に、本明細書に記載された機能を実行するための電力を供給するように設定され得る。
【００７４】
ＵＥ２００はまた、たとえばＧＳＭ、ＷＣＤＭＡ、ＬＴＥ、ＮＲ、ＷｉＦｉ、またはＢｌｕｅｔｏｏｔｈ無線技術のように、無線デバイス２００に統合された異なる無線技術のための処理回路構成２１５、コンピュータ可読記憶媒体２３０、無線回路構成２１０、および／またはアンテナ２０５からなる多数のセットを含み得る。これらの無線技術は、無線デバイス２００内の同じまたは異なるチップセットおよび他の構成要素に統合され得る。
【００７５】
図５は、特定の実施形態にしたがって、ＵＥ３００を含み得る無線デバイス１１０によるタイミング構成の同期制御のための例示的な方法３００を例示する。方法は、ステップ３０２で始まり、無線デバイス１１０は、ネットワークノード１１５にフィードバックを送信するための第１の遅延持続時間に関連付けられた第１のタイミング構成にしたがって動作する。
【００７６】
ステップ３０４において、無線デバイス１１０は、ネットワークノード１１５にフィードバックを送信するための第２の遅延持続時間に関連付けられた第２のタイミング構成を、ネットワークノード１１５から受信する。特定の実施形態によれば、第２の遅延持続時間は、第１の遅延持続時間とは異なる。
【００７７】
特有の実施形態では、第１のタイミング構成および第２のタイミング構成のいずれかまたは両方は、ダウンリンク制御チャネルにおけるＵＥ固有識別情報、ダウンリンク制御チャネルにおけるＵＥ共通識別情報、ダウンリンク制御情報の特別なフォーマット、および／または、ダウンリンクパケットデータユニット内の制御フィールドまたはヘッダ、のうちのいずれか１つとして無線デバイス１１０によって受信され得る。
【００７８】
特定の実施形態によれば、第２の遅延持続時間は、第１の遅延持続時間よりも少ないサブフレームであり得る。たとえば、特有の実施形態では、第１の遅延は、ｎのサブフレームにおいて受信されたダウンリンク送信に応答したフィードバックが、第１の構成にしたがってｎ＋４のサブフレームにおいてネットワークノードに送信されるように４個のサブフレーム遅延を含み得る。第２の遅延は、ｎのサブフレームにおいて受信されたダウンリンク送信に応答したフィードバックが、ｎ＋ｋのサブフレームにおいてネットワークノードに送信されるように、ｋ個のサブフレーム遅延を含み得る。ここで、ｋは、４未満である。
【００７９】
特定の実施形態によれば、第２の遅延持続時間は、第１の遅延持続時間よりも多いサブフレームであり得る。たとえば、特有の実施形態では、第１の遅延持続時間は、ｎのサブフレームにおいて受信されたダウンリンク送信に応答したフィードバックが、第１の構成にしたがって、ｎ＋３のサブフレームにおいてネットワークノードに送信されるように３個のサブフレーム遅延を含み得る。第２の遅延は、ｎのサブフレームにおいて受信されたダウンリンク送信に応答したフィードバックが、ｎ＋ｋのサブフレームにおいてネットワークノードに送信されるようにｋ個のサブフレーム遅延を含み得る。ここで、ｋは、４よりも大きい。
【００８０】
ステップ３０６において、ネットワークノードからの第１のダウンリンク送信に応答して、無線デバイス１１０は、第２のタイミング構成に関連付けられた第２の遅延持続時間に基づいて決定された送信時間における送信のために、第１のフィードバックをスケジュールする。特有の実施形態では、第１のフィードバックは、ＨＡＲＱ許可の受信の肯定的なＡＣＫまたは否定的なＡＣＫを示すＨＡＲＱフィードバックを含み得る。
【００８１】
特有の実施形態では、第２のタイミング構成の起動を要求する第２の指示を、ネットワークノード１１５から受信することに応答して、第２のタイミング構成にしたがって、第１のフィードバックの送信がスケジュールされ得る。第２の指示に応答して、無線デバイス１１０は、第２の遅延に基づいて決定された送信時間におけるアップリンク送信において第１のフィードバックを送信するために、第２のタイミング構成を起動し得る。
【００８２】
特定の実施形態によれば、第２のタイミング構成にしたがってスケジュールされた第１のフィードバックと、第１のタイミング構成にしたがって送信時に送信のためにもスケジュールされた他の任意のフィードバックとの間のコンフリクトを解決するために、いくつかのルールのうちのいずれか１つが使用され得る。たとえば、特有の実施形態によれば、優先ルールは、第１のタイミング構成にしたがってスケジュールされた任意のフィードバックがキャンセルされるべきであるように、第１の構成よりも第２の構成を優先し得る。あるいは、優先ルールは、第２の構成にしたがってスケジュールされた第１のフィードバックが、第１の構成にしたがってスケジュールされたどのフィードバックよりも有利にキャンセルされるべきであるように、第２の構成よりも第１の構成を優先し得る。別の例として、ＨＡＲＱ処理識別子が、ネットワークノードから受信され得、第１のフィードバックまたは第２のフィードバックが、ＨＡＲＱ処理識別子に基づいて送信のために選択され得る。さらに別の実施形態では、第１のフィードバックおよび第２のフィードバックは、送信時間において、送信のためにともに多重化され得る。さらに別の例では、第１のフィードバックおよび第２のフィードバックは両方とも肯定的なアクノレッジメントであると判定され得、第１のフィードバックは、第１のフィードバックおよび第２のフィードバックの両方を表すために送信され得る。
【００８３】
特定の実施形態によれば、第１のタイミング構成は、デフォルトのタイミング構成と見なされ得、第１の遅延持続時間は、デフォルトの遅延持続時間を備え得る。したがって、無線デバイス１１０は、無線デバイス１１０が第２のタイミング構成で動作すべきであるという指示がネットワークノード１１５から受信されるまで、デフォルト構成で動作し得る。第２のタイミング構成における動作は一時的なものであり得、この結果、無線デバイス１１０は、適切になったときにデフォルトのタイミング構成にフォールバックし得る。特有の実施形態では、たとえば、無線デバイス１１０は、第２の指示がネットワークノード１１５から受信されるまで、第２のタイミング構成で動作し得る。
【００８４】
他の実施形態では、第２のタイミング構成は、デフォルトのタイミング構成と見なされ得、第１の遅延持続時間は、特別な遅延持続時間を備え得る。このシナリオでは、図５の方法は、特別な遅延持続時間から、デフォルトの遅延持続時間へのフォールバックを実証し得る。
【００８５】
特定の実施形態では、上述したようなタイミング構成の同期制御のための方法は、仮想的なコンピューティングデバイスによって実行され得る。図６は、特定の実施形態にしたがう、タイミング構成の同期制御のための例示的な仮想的なコンピューティングデバイス４００を例示する。特定の実施形態では、仮想的なコンピューティングデバイス４００は、図５に例示され記載された方法に関して上述したものと同様のステップを実行するためのモジュールを含み得る。たとえば、仮想的なコンピューティングデバイス４００は、動作モジュール４１０、受信モジュール４２０、スケジューリングモジュール４３０、およびタイミング構成の同期制御のための他の任意の適切なモジュールを含み得る。いくつかの実施形態では、モジュールのうちの１つまたは複数は、図４の処理回路構成２１５を使用して実施され得る。特定の実施形態では、様々なモジュールのうちの２つ以上の機能が、単一のモジュールに組み合わされ得る。
【００８６】
動作モジュール４１０は、仮想的なコンピューティングデバイス４００の動作機能を実行し得る。たとえば、特有の実施形態では、動作モジュール４１０は、ネットワークノード１１５にフィードバックを送信するための第１の遅延持続時間に関連付けられた第１のタイミング構成にしたがって動作し得る。
【００８７】
受信モジュール４２０は、仮想的なコンピューティングデバイス４００の受信機能を実行し得る。たとえば、特有の実施形態では、受信モジュール４２０は、ネットワークノード１１５にフィードバックを送信するための第２の遅延持続時間に関連付けられた第２のタイミング構成を、ネットワークノード１１５から受信し得る。特定の実施形態によれば、第２の遅延持続時間は、第１の遅延持続時間とは異なり得る。
【００８８】
スケジューリングモジュール４３０は、仮想的なコンピューティングデバイス４００の動作機能を実行し得る。たとえば、特有の実施形態では、スケジューリングモジュール４３０は、第２のタイミング構成に関連付けられた第２の遅延持続時間に基づいて決定された送信時間における送信のために、第１のフィードバックをスケジュールし得る。
【００８９】
仮想的なコンピューティングデバイス４００の他の実施形態は、上述した機能のうちのいずれか、および／または、任意の追加の機能（上述した解決策をサポートするために必要な任意の機能を含む）を含む、無線ノードの機能のうちのいくつかの態様を提供することを担い得る、図６に図示されるもの以外の追加の構成要素を含み得る。様々な異なる種類の無線デバイス１１０は、同じ物理的ハードウェアを有するが、異なる無線アクセス技術をサポートするように（たとえば、プログラミングを介して）設定された構成要素を含み得るか、または、部分的または全体的に異なる物理的構成要素を表し得る。
【００９０】
図７は、特定の実施形態にしたがう、タイミング構成の同期制御のための例示的なネットワークノード５００を例示する。図７に図示されるように、ネットワークノード５００は、上述したネットワークノード１１５のような例示的なネットワークノードであり、任意の種類の無線ネットワークノード、または、無線デバイス１１０および／または別のネットワークノード１１５と通信する任意のネットワークノードを含み得る。ネットワークノード１１５の例は、上記に提供されている。
【００９１】
ネットワークノード５００は、ホモジニアス配置、ヘテロジニアス配置、または混在配置としてネットワーク１００全体に配置され得る。ホモジニアス配置は、一般に、同じ（または類似の）種類のネットワークノード５００および／または類似のカバレッジおよびセルサイズおよびサイト間距離からなる配置を記載し得る。ヘテロジニアス配置は、一般に、異なるセルサイズ、送信電力、容量、およびサイト間距離を有する様々な種類のネットワークノード５００を使用する配置を記載し得る。たとえば、ヘテロジニアス配置は、マクロセルレイアウト全体にわたって配置された複数の低電力ノードを含み得る。混在配置は、ホモジニアスな部分とヘテロジニアスな部分との混在を含み得る。
【００９２】
ネットワークノード５００は、トランシーバ５１０、処理回路構成５２０、メモリ５３０、およびネットワークインターフェース５４０のうちの１つまたは複数を含み得る。いくつかの実施形態では、トランシーバ５１０は、（たとえば、アンテナを介して）無線デバイス１１０または３００との間の無線信号の送受信を容易にし、処理回路構成５２０は、ネットワークノード５００によって提供されるものとして上述した機能のいくつかまたはすべてを提供する命令を実行し、メモリ５３０は、処理回路構成５２０によって実行される命令を記憶し、ネットワークインターフェース５４０は、ゲートウェイ、スイッチ、ルータ、インターネット、公衆交換電話網（ＰＳＴＮ）、コアネットワークノード、または無線ネットワークコントローラ等のようなバックエンドネットワーク構成要素に信号を通信する。
【００９３】
特定の実施形態では、ネットワークノード５００は、マルチアンテナ技術を使用することができ、複数のアンテナを装備され得、ＭＩＭＯ技術をサポートすることができる。１つまたは複数のアンテナは、制御可能な偏波を有し得る。言い換えれば、各要素は、異なる偏波（たとえば、交差偏波におけるような９０度の間隔）を有する２個の同じ場所に配置されたサブ要素を有し得、これによって、異なるセットのビームフォーミング重みが、放射された波に、異なる偏波を与える。
【００９４】
処理回路構成５２０は、命令を実行し、データを操作して、ネットワークノード５００の記載された機能のいくつかまたはすべてを実行するために、１つまたは複数のモジュールにおいて実施されるハードウェアおよびソフトウェアの任意の適切な組合せを含み得る。いくつかの実施形態において、処理回路構成５２０は、たとえば、１つまたは複数のコンピュータ、１つまたは複数の中央処理装置（ＣＰＵ）、１つまたは複数のマイクロプロセッサ、１つまたは複数のアプリケーション、および／または、他のロジックを含み得る。
【００９５】
メモリ５３０は、一般に、コンピュータプログラムと、ソフトウェアと、ロジック、ルール、アルゴリズム、コード、表等のうちの１つまたは複数を含むアプリケーションとのような命令、および／または、プロセッサによる実行が可能な他の命令を記憶するように動作可能である。メモリ５３０の例は、コンピュータメモリ（たとえば、ランダムアクセスメモリ（ＲＡＭ）または読出専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、および／または、情報を記憶する他の任意の揮発性または不揮発性、非一時的コンピュータ可読および／またはコンピュータ実行可能なメモリデバイスを含んでいる。
【００９６】
いくつかの実施形態では、ネットワークインターフェース５４０は、処理回路構成５２０に通信可能に結合されており、ネットワークノード５００のための入力を受信し、ネットワークノード５００からの出力を送信し、入力または出力または両方の適切な処理を実行し、他のデバイスへ通信し、または、前述の任意の組合せを動作可能な任意の適切なデバイスを称し得る。ネットワークインターフェース５４０は、ネットワークを介して通信するために、プロトコル変換およびデータ処理機能を含む適切なハードウェア（たとえば、ポート、モデム、ネットワークインターフェースカード等）およびソフトウェアを含み得る。
【００９７】
ネットワークノード５００の他の実施形態は、上述した機能のうちのいずれか、および／または、任意の追加機能（上述した解決策をサポートするために必要な任意の機能を含む）を含む、無線ネットワークノードの機能の特定の態様を提供することを担い得る図７に図示されるもの以外の追加の構成要素を含み得る。様々な異なる種類のネットワークノードは、同じ物理的ハードウェアを有するが、異なる無線アクセス技術をサポートするように（たとえば、プログラミングによって）設定された構成要素を含み得るか、または、部分的または全体的に異なる物理的構成要素を表し得る。これに加えて、第１および第２という用語は、例示目的でのみ提供されており、相互置換可能であり得る。
【００９８】
図８は、特定の実施形態にしたがって、ＵＥ３００を含み得るネットワークノード１１０によるタイミング構成の同期制御のための例示的な方法６００を例示する。方法は、ステップ６０２で始まり、ネットワークノード１１５が、ネットワークノード１１５にフィードバックを送信するための第１の遅延持続時間に関連付けられた第１のタイミング構成を、無線デバイス１１０に送信する。
【００９９】
ステップ６０４において、無線デバイス１１０は、ネットワークノード１１５にフィードバックを送信するための第２の遅延持続時間に関連付けられた第２のタイミング構成を無線デバイス１１０に送信する。特定の実施形態によれば、第２の遅延持続時間は、第１の遅延持続時間とは異なる。
【０１００】
特有の実施形態では、第１のタイミング構成および／または第２のタイミング構成は、ダウンリンク制御チャネルにおけるＵＥ固有識別情報、ダウンリンク制御チャネルにおけるＵＥ共通識別情報、ダウンリンク制御情報の特別なフォーマット、および／または、ダウンリンクパケットデータユニット内の制御フィールドまたはヘッダ、のうちのいずれか１つとして無線デバイス１１０に送信され得る。
【０１０１】
特定の実施形態によれば、第２の遅延持続時間は、第１の遅延持続時間よりも少ないサブフレームであり得る。たとえば、特有の実施形態では、第１の遅延は、ｎのサブフレームにおいて受信されたダウンリンク送信に応答したフィードバックが、第１の構成にしたがってｎ＋４のサブフレームにおいてネットワークノード１１５に送信されるように４個のサブフレーム遅延を含み得る。第２の遅延は、ｎのサブフレームにおいて受信されたダウンリンク送信に応答したフィードバックが、ｎ＋ｋのサブフレームにおいてネットワークノードに送信されるように、ｋ個のサブフレーム遅延を含み得る。ここで、ｋは、４未満である。
【０１０２】
特定の実施形態によれば、第２の遅延持続時間は、第１の遅延持続時間よりも多くのサブフレームであり得る。たとえば、特有の実施形態では、第１の遅延持続時間は、ｎのサブフレームで受信されたダウンリンク送信に応答したフィードバックが、第１の構成にしたがって、ｎ＋３のサブフレームでネットワークノード１１５に送信されるように３個のサブフレーム遅延を含み得る。第２の遅延は、ｎのサブフレームで受信されたダウンリンク送信に応答したフィードバックが、ｎ＋ｋのサブフレームでネットワークノードに送信されるようにｋ個のサブフレーム遅延を含み得る。ここで、ｋは、４よりも大きい。
【０１０３】
その後、そして特定の実施形態によれば、ネットワークノード１１５は、次いで、ダウンリンク送信を送信し得、このダウンリンク送信に応答してフィードバックを受信し得る。たとえば、特有の実施形態では、ダウンリンク送信は、ＨＡＲＱ許可を含み得、フィードバックは、ＨＡＲＱ許可の受信の肯定的または否定的なアクノレッジメントを示すＨＡＲＱフィードバックを含み得る。特有の実施形態では、第１のフィードバックは、ネットワークノード１１５から、第２のタイミング構成の起動を要求する第２の指示を受信することに応答して、第２のタイミング構成にしたがって、無線デバイス１１０によってスケジュールされ得る。
【０１０４】
特定の実施形態によれば、ネットワークノード１１５はまた、第２のタイミング構成に関連付けられた第１のフィードバックと第１のタイミング構成にしたがった送信時間における送信のためにスケジュールされた第２のフィードバックとの間のコンフリクトを解決するための１つまたは複数のルールを無線デバイスに送信し得る。たとえば、特有の実施形態によれば、ネットワークノード１１５は、第１のタイミング構成にしたがってスケジュールされた第２のフィードバックがキャンセルされるように、第１の構成よりも第２の構成を優先するルールを送信し得る。あるいは、ネットワークノード１１５は、第２の構成にしたがってスケジュールされた第１のフィードバックがキャンセルされるように、第２の構成よりも第１の構成を優先するルールを送信し得る。別の例として、ネットワークノード１１５は、ＨＡＲＱ処理識別子に基づいて、第１のフィードバックまたは第２のフィードバックが送信のために選択され得るように、ＨＡＲＱ処理識別子を送信し得る。さらに別の実施形態では、ネットワークノード１１５は、送信時に送信するために第１のフィードバックおよび第２のフィードバックがともに多重化されるべきであることを示すルールを送信し得る。さらに別の例では、ネットワークノード１１５は、第１のフィードバックと第２のフィードバックとの両方が肯定的なアクノレッジメントである場合、第１のフィードバックが、第１のフィードバックと第２のフィードバックとの両方を表すことであることを識別するルールを送信し得る。
【０１０５】
特定の実施形態によれば、第１のタイミング構成は、デフォルトのタイミング構成と見なされ得、第１の遅延持続時間は、デフォルトの遅延持続時間を含み得る。したがって、ネットワークノード１１５は、無線デバイス１１０が第２のタイミング構成で動作すべきであるという指示がネットワークノード１１５から受信されるまで、デフォルト構成で動作するように無線デバイス１１０を設定し得る。第２のタイミング構成における動作は、ネットワークノード１１５が無線デバイス１１０にそうするように指示するとき、またはそうでなければ、そうすることが適切であると考えられるときに、無線デバイス１１０がデフォルトタイミング構成にフォールバックできるように、一時的であり得る。特有の実施形態では、たとえば、ネットワークノード１１５は、さらなる指示を無線デバイス１１０に送信して、無線デバイス１１０に第１のタイミング構成にフォールバックするように指示し得る。
【０１０６】
他の実施形態では、第２のタイミング構成は、デフォルトのタイミング構成と見なされ得、第１の遅延持続時間は、特別な遅延持続時間を備え得る。したがって、図８の方法は、特別な遅延持続時間からデフォルトの遅延持続時間にフォールバックするように無線デバイス１１０を設定するための方法を実証し得る。
【０１０７】
特定の実施形態では、上述したようなタイミング構成の同期制御のための方法が、仮想的なコンピューティングデバイスによって実行され得る。図９は、特定の実施形態による、タイミング構成の同期制御のための例示的な仮想的なコンピューティングデバイス７００を例示する。特定の実施形態では、仮想的なコンピューティングデバイス７００は、図８に例示された記載された方法に関して上述したものと同様のステップを実行するためのモジュールを含み得る。たとえば、仮想的なコンピューティングデバイス７００は、第１の送信モジュール７１０、第２の送信モジュール７２０、およびタイミング構成の同期制御のための他の任意の適切なモジュールを含み得る。いくつかの実施形態では、モジュールのうちの１つまたは複数は、図１のプロセッサ１２５または図７の処理回路構成５２０を使用して実施され得る。特定の実施形態では、様々なモジュールのうちの２つ以上の機能が、単一のモジュールに組み合わされ得る。
【０１０８】
第１の送信モジュール７１０は、仮想的なコンピューティングデバイス７００の特定の送信機能を実行し得る。たとえば、特有の実施形態では、送信モジュール７１０は、ネットワークノード１１５にフィードバックを送信するための第１の遅延持続時間に関連付けられた第１のタイミング構成を、無線デバイス１１０に送信し得る。
【０１０９】
第２の送信モジュール７２０は、仮想的なコンピューティングデバイス７００の他の特定の送信機能を実行し得る。たとえば、特有の実施形態では、第２の送信モジュール７２０は、ネットワークノード１１５にフィードバックを送信するための第２の遅延持続時間に関連付けられた第２のタイミング構成を無線デバイス１１０に送信し得る。特定の実施形態によれば、第２の遅延持続時間は、第１の遅延持続時間とは異なり得る。
【０１１０】
仮想的なコンピューティングデバイス７００の他の実施形態は、上述した機能のうちのいずれか、および／または、任意の追加の機能（上述した解決策をサポートするために必要な任意の機能を含む）を含む無線ノードの機能の特定の態様を提供することを担い得る図８に図示されたもの以外の追加の構成要素を含み得る。様々な異なる種類の無線ノード１１５は、同じ物理的ハードウェアを有するが、異なる無線アクセス技術をサポートするように（たとえば、プログラミングによって）設定された構成要素を含み得るか、または、部分的または全体的に異なる物理的構成要素を表し得る。
【０１１１】
本明細書に記載された任意のステップまたは特徴は、単に特定の実施形態を例示するものである。すべての実施形態が、開示されたすべてのステップまたは特徴を組み込んでいることも、ステップが、本明細書に描写されまたは記載された正確な順序で実行されることも必要ではない。さらに、いくつかの実施形態は、本明細書に開示されたステップのうちの１つまたは複数に固有のステップを含む、本明細書に例示または記載されていないステップまたは特徴を含み得る。
【０１１２】
たとえば、上記の図面のうちの１つまたは複数に例示されている構成要素および機器によって実行され得る、任意の適切なステップ、方法、または機能が、コンピュータプログラム製品を介して実行され得る。たとえば、記憶装置１３０、記憶装置１５０、記憶装置２３０、および／またはメモリ５３０は、コンピュータプログラムが記憶され得るコンピュータ可読手段を備え得る。コンピュータプログラムは、プロセッサまたは処理回路構成（および、インターフェースおよび記憶装置のような任意の動作可能に結合されたエンティティおよびデバイス）に、本明細書に記載された実施形態にしたがう方法を実行させる命令を含み得る。したがって、コンピュータプログラムおよび／またはコンピュータプログラム製品は、本明細書に開示されている任意のステップを実行するための手段を提供し得る。
【０１１３】
１つまたは複数の機能モジュールを介して、任意の適切なステップ、方法、または機能が実行され得る。各機能モジュールは、ソフトウェア、コンピュータプログラム、サブルーチン、ライブラリ、ソースコード、または、たとえばプロセッサによって実行される任意の他の形態の実行可能命令を備え得る。いくつかの実施形態では、各機能モジュールは、ハードウェアおよび／またはソフトウェアで実施され得る。たとえば、１つまたは複数のまたはすべての機能モジュールは、おそらく記憶装置またはメモリと協働して、記載されたプロセッサまたは処理回路構成によって実施され得る。したがって、プロセッサ、処理回路構成、記憶装置、および／またはメモリは、プロセッサおよび処理回路構成が、記憶装置またはメモリから命令をフェッチし、フェッチされた命令を実行して、それぞれの機能モジュールが、本明細書に開示された任意のステップまたは機能を実行できるように構成され得る。
【０１１４】
発明的な概念の特定の態様が、いくつかの実施形態を参照して主に上述された。しかしながら、当業者によって容易に理解されるように、上記で開示されたもの以外の実施形態も等しく可能であり、発明的な概念の範囲内である。同様に、多数の異なる組合せが論じられてきたが、すべての可能な組合せが開示されている訳ではない。当業者であれば、他の組合せが存在し、発明的な概念の範囲内にあることを理解するであろう。さらに、当業者に理解されるように、本明細書に開示された実施形態は、他の規格および通信システムにもそのまま適用可能であり、他の特徴に関して開示された特有の図面からの任意の特徴は、任意の他の図面に適用可能であり、異なる特徴と組み合わされ得る。
【図１】
2019537857.tif 000008
【図２】
2019537857.tif 000009
【図３】
2019537857.tif 000010
【図４】
2019537857.tif 000011
【図５】
2019537857.tif 000012
【図６】
2019537857.tif 000013
【図７】
2019537857.tif 000014
【図８】
2019537857.tif 000015
【図９】
2019537857.tif 000016
【国際調査報告】
2019537857.tif 000017
2019537857.tif 000018